(57)【特許請求の範囲】
【請求項１】
通信コントローラを動作させるための方法であって、
前記通信コントローラによって、受信されたチャネル条件報告、ＵＥ干渉除去（ＩＣ）能力報告、及びモビリティ推定に従って、複数のユーザ機器（ＵＥ）をグループ化し、これにより、前記グループ化に関する情報を生成する段階と、
前記通信コントローラによって、前記複数のＵＥから第１のＵＥ、及び前記複数のＵＥから第２のＵＥを選択する段階であって、前記選択は、グループ化に関する前記情報に従い、広幅ビームが前記第１のＵＥに割り当てられ、狭幅ビームが前記第２のＵＥに割り当てられ、前記広幅ビーム及び前記狭幅ビームは、空間的に重複する、段階と、
前記通信コントローラによって、第１の伝送ブロックのリソースを、前記第１のＵＥ及び前記第２のＵＥに相互スケジューリングする段階と、
前記通信コントローラによって、前記相互スケジューリングされたリソースに従って、前記第１のＵＥに対する第１の伝送パラメータ及び前記第２のＵＥに対する第２の伝送パラメータを決定する段階と、
前記通信コントローラによって、前記第１のＵＥに対する前記第１の伝送パラメータ及び前記第２のＵＥに対する前記第２の伝送パラメータに従って、前記第１のＵＥ及び前記第２のＵＥと通信を行う段階と、
前記通信コントローラによって、前記複数のＵＥからモビリティ推定を受信する段階と、
前記通信コントローラによって、前記複数のＵＥから受信した前記モビリティ推定に従って、前記複数のＵＥを再グループ化する段階と
を備える方法。
【請求項２】
ビームフォーミングされた複数のチャネル状態情報参照信号（ＣＳＩ−ＲＳ）の測定値から生成された前記チャネル条件報告を受信する段階
をさらに備える、請求項１に記載の方法。
【請求項３】
複数の伝送ビームの各々によりＣＳＩ−ＲＳをビームフォーミングし、これにより、複数のビームフォーミングされたＣＳＩ−ＲＳを生成する段階と、
前記複数のビームフォーミングされたＣＳＩ−ＲＳを伝送する段階と、
前記チャネル条件報告を受信する段階と、
をさらに備える、請求項１に記載の方法。
【請求項４】
通信コントローラを動作させるための方法であって、
前記通信コントローラによって、複数の伝送ビームの各々によりＣＳＩ−ＲＳをビームフォーミングし、これにより、複数のビームフォーミングされたＣＳＩ−ＲＳを生成する段階と、
前記通信コントローラによって、前記複数のビームフォーミングされたＣＳＩ−ＲＳを伝送する段階と、
前記通信コントローラによって、チャネル条件報告を受信する段階と、
前記通信コントローラによって、受信された前記チャネル条件報告、ＵＥ干渉除去（ＩＣ）能力報告、及びモビリティ推定に従って、複数のユーザ機器（ＵＥ）をグループ化し、これにより、前記グループ化に関する情報を生成する段階と、
前記通信コントローラによって、前記複数のＵＥから第１のＵＥ、及び前記複数のＵＥから第２のＵＥを選択する段階であって、前記選択は、グループ化に関する前記情報に従い、広幅ビームが前記第１のＵＥに割り当てられ、狭幅ビームが前記第２のＵＥに割り当てられ、前記広幅ビーム及び前記狭幅ビームは、空間的に重複する、段階と、
前記通信コントローラによって、第１の伝送ブロックのリソースを、前記第１のＵＥ及び前記第２のＵＥに相互スケジューリングする段階と、
前記通信コントローラによって、前記相互スケジューリングされたリソースに従って、前記第１のＵＥに対する第１の伝送パラメータ及び前記第２のＵＥに対する第２の伝送パラメータを決定する段階と、
前記通信コントローラによって、前記第１のＵＥに対する前記第１の伝送パラメータ及び前記第２のＵＥに対する前記第２の伝送パラメータに従って、前記第１のＵＥ及び前記第２のＵＥと通信を行う段階と、
前記通信コントローラによって、隣接する少なくとも２つのビームフォーミングされたＣＳＩ−ＲＳに関連付けられたフィードバック情報を受信する段階と、
前記通信コントローラによって、前記少なくとも２つのビームフォーミングされたＣＳＩ−ＲＳに従って、前記第１のＵＥに対するモビリティ推定を生成する段階と、
前記通信コントローラによって、生成された前記モビリティ推定に従って、前記複数のＵＥを再グループ化する段階と、
を備える方法。
【請求項５】
通信コントローラを動作させるための方法であって、
前記通信コントローラによって、複数の伝送ビームの各々によりＣＳＩ−ＲＳをビームフォーミングし、これにより、複数のビームフォーミングされたＣＳＩ−ＲＳを生成する段階と、
前記通信コントローラによって、前記複数のビームフォーミングされたＣＳＩ−ＲＳを伝送する段階と、
前記通信コントローラによって、チャネル条件報告を受信する段階と、
前記通信コントローラによって、受信された前記チャネル条件報告、ＵＥ干渉除去（ＩＣ）能力報告、及びモビリティ推定に従って、複数のユーザ機器（ＵＥ）をグループ化し、これにより、前記グループ化に関する情報を生成する段階と、
前記通信コントローラによって、前記複数のＵＥから第１のＵＥ、及び前記複数のＵＥから第２のＵＥを選択する段階であって、前記選択は、グループ化に関する前記情報に従い、広幅ビームが前記第１のＵＥに割り当てられ、狭幅ビームが前記第２のＵＥに割り当てられ、前記広幅ビーム及び前記狭幅ビームは、空間的に重複する、段階と、
前記通信コントローラによって、第１の伝送ブロックのリソースを、前記第１のＵＥ及び前記第２のＵＥに相互スケジューリングする段階と、
前記通信コントローラによって、前記相互スケジューリングされたリソースに従って、前記第１のＵＥに対する第１の伝送パラメータ及び前記第２のＵＥに対する第２の伝送パラメータを決定する段階と、
前記通信コントローラによって、前記第１のＵＥに対する前記第１の伝送パラメータ及び前記第２のＵＥに対する前記第２の伝送パラメータに従って、前記第１のＵＥ及び前記第２のＵＥと通信を行う段階と、
前記通信コントローラによって、少なくとも２つのビームフォーミングされたＣＳＩ−ＲＳに関連付けられたフィードバック情報を受信する段階であって、前記少なくとも２つのビームフォーミングされたＣＳＩ−ＲＳは、異なる伝送時間間隔の１つ及び異なる周波数において受信される、段階と、
前記通信コントローラによって、前記少なくとも２つのビームフォーミングされたＣＳＩ−ＲＳに従って、前記第１のＵＥに対するモビリティ推定を生成する段階と、
前記通信コントローラによって、生成された前記モビリティ推定に従って、前記複数のＵＥを再グループ化する段階と、
を備える方法。
【請求項６】
通信コントローラを動作させるための方法であって、
前記通信コントローラによって、複数の伝送ビームの各々によりＣＳＩ−ＲＳをビームフォーミングし、これにより、複数のビームフォーミングされたＣＳＩ−ＲＳを生成する段階と、
前記通信コントローラによって、前記複数のビームフォーミングされたＣＳＩ−ＲＳを伝送する段階と、
前記通信コントローラによって、チャネル条件報告を受信する段階と、
前記通信コントローラによって、受信された前記チャネル条件報告、ＵＥ干渉除去（ＩＣ）能力報告、及びモビリティ推定に従って、複数のユーザ機器（ＵＥ）をグループ化し、これにより、前記グループ化に関する情報を生成する段階と、
前記通信コントローラによって、前記複数のＵＥから第１のＵＥ、及び前記複数のＵＥから第２のＵＥを選択する段階であって、前記選択は、グループ化に関する前記情報に従い、広幅ビームが前記第１のＵＥに割り当てられ、狭幅ビームが前記第２のＵＥに割り当てられ、前記広幅ビーム及び前記狭幅ビームは、空間的に重複する、段階と、
前記通信コントローラによって、第１の伝送ブロックのリソースを、前記第１のＵＥ及び前記第２のＵＥに相互スケジューリングする段階と、
前記通信コントローラによって、前記相互スケジューリングされたリソースに従って、前記第１のＵＥに対する第１の伝送パラメータ及び前記第２のＵＥに対する第２の伝送パラメータを決定する段階と、
前記通信コントローラによって、前記第１のＵＥに対する前記第１の伝送パラメータ及び前記第２のＵＥに対する前記第２の伝送パラメータに従って、前記第１のＵＥ及び前記第２のＵＥと通信を行う段階と、
前記通信コントローラによって、ビームフォーミングされたＣＳＩ−ＲＳに関連付けられたフィードバック情報を受信する段階と、
前記通信コントローラによって、前記ビームフォーミングされたＣＳＩ−ＲＳに従って、前記第１のＵＥに対するモビリティ推定を生成する段階と、
前記通信コントローラによって、生成された前記モビリティ推定に従って、前記複数のＵＥを再グループ化する段階と、
を備える方法。
【請求項７】
前記第１のＵＥ及び前記第２のＵＥと通信を行う段階は、
前記第１のＵＥに対する前記第１の伝送パラメータに従って、前記第１のＵＥに対する第１のデータをビームフォーミングし、これにより、第１のビームフォーミングされた信号を生成する段階と、
前記第２のＵＥに対する前記第２の伝送パラメータに従って、前記第２のＵＥに対する第２のデータをビームフォーミングし、これにより、第２のビームフォーミングされた信号を生成する段階と、
前記第１のビームフォーミングされた信号及び前記第２のビームフォーミングされた信号を伝送する段階と、
を含む、請求項１から６のいずれか１項に記載の方法。
【請求項８】
前記第１の伝送パラメータは、前記第１のＵＥに割り当てられるＤＭＲＳリソースの位置を含む、請求項１から７のいずれか１項に記載の方法。
【請求項９】
前記第１の伝送パラメータは、前記第２のＵＥに割り当てられるＤＭＲＳリソースの位置をさらに含む、請求項８に記載の方法。
【請求項１０】
前記第１の伝送パラメータは、前記第２のＵＥに対する変調レベル、前記第２のＵＥに対するＭＣＳレベル、及び前記第２のＵＥに対するＲＩの１つをさらに含む、請求項９に記載の方法。
【請求項１１】
プロセッサと、
前記プロセッサによる実行のためのプログラムを格納するコンピュータ可読記憶媒体と、
を備える通信コントローラであって、
前記プログラムは、
受信されたチャネル条件報告、ＵＥ干渉除去（ＩＣ）能力報告及びモビリティ推定に従って、複数のユーザ機器（ＵＥ）をグループ化し、これにより、ＵＥのグループに関する情報を生成することと、
前記複数のＵＥから第１のＵＥ、及び前記複数のＵＥから第２のＵＥを選択することであって、前記第１のＵＥは、グループ化に関する前記情報に従って選択され、広幅ビームが前記第１のＵＥに割り当てられ、狭幅ビームが前記第２のＵＥに割り当てられ、前記広幅ビーム及び前記狭幅ビームは、空間的に重複する、選択することと、
前記第１のＵＥ及び前記第２のＵＥに、第１の伝送ブロックのリソースを相互スケジューリングすることと、
前記相互スケジューリングされたリソースに従って、前記第１のＵＥに対する第１の伝送パラメータ及び前記第２のＵＥに対する第２の伝送パラメータを決定することと、
前記第１のＵＥに対する前記第１の伝送パラメータ及び前記第２のＵＥに対する前記第２の伝送パラメータに従って、前記第１のＵＥ及び前記第２のＵＥと通信を行うことと、
前記複数のＵＥからモビリティ推定を受信することと、
前記モビリティ推定に従って、前記複数のＵＥを再グループ化することと、
を実行する命令を含む、通信コントローラ。
【請求項１２】
前記プログラムは、前記第１のＵＥに割り当てられた第１の復調参照信号（ＤＭＲＳ）リソース情報をビームフォーミングされた第１のデータに含めることと、前記第２のＵＥに割り当てられた第２のＤＭＲＳリソース情報をビームフォーミングされた第２のデータに含めることと、を実行する命令を含む、請求項１１に記載の通信コントローラ。
【発明の詳細な説明】
【技術分野】
【０００１】
［関連出願への相互参照］
本願は、２０１５年５月２８日に出願された、発明の名称を「マルチレベルのビームフォーミングされた非直交多重アクセス通信のためのシステム及び方法」とする米国非仮出願第１４／７２４，７１６号の利益を主張し、これによって当該出願は、参照により本明細書に組み込まれる。
【０００２】
本開示は、概して、デジタル通信に関し、より詳細には、マルチレベルのビームフォーミングされた非直交多重アクセス（ＮＯＭＡ）通信のためのシステム及び方法に関する。
【背景技術】
【０００３】
ミリメートル波（ｍｍＷａｖｅ）通信において、ビームフォーミングは、期待される経路損失を克服するために用いられている。発展型ＮｏｄｅＢ（ｅＮＢ）とユーザ機器（ＵＥ）との間の経路損失に応じて、異なるレベルのビームフォーミング利得が、異なるｅＮＢにおいて、ＵＥリンクにデータを伝送するために必要とされることがある。単純化した解決手段は、ビームフォーミング利得をその最大値に固定し、最悪の場合の経路損失を満たすことである。この単純なアプローチの欠点は、最大のビームフォーミング利得を有する伝送ビームが、典型的には、非常に狭いビーム幅を有し、ＵＥのモビリティに影響されやすく、閉塞となり得ることである。
【発明の概要】
【０００４】
本開示の例示的実施形態は、マルチレベルのビームフォーミングされた非直交多重アクセス（ＮＯＭＡ）通信のためのシステム及び方法を提供する。
【０００５】
本開示の例示的実施形態によれば、通信コントローラを動作させるための方法が提供される。方法は、通信コントローラによって、受信されたチャネル条件報告、ＵＥ干渉除去（ＩＣ）能力報告、及びモビリティ推定に従って、複数のユーザ機器（ＵＥ）をグループ化し、これにより、グループ化に関する情報を生成する段階と、通信コントローラによって、複数のＵＥから第１のＵＥ、及び複数のＵＥから第２のＵＥを選択する段階であって、選択は、グループ化に関する情報に従い、広幅ビームが第１のＵＥに割り当てられ、狭幅ビームが第２のＵＥに割り当てられ、広幅ビーム及び狭幅ビームは、空間的に重複する、段階と、通信コントローラによって、第１の伝送ブロックのリソースを、第１のＵＥ及び第２のＵＥに相互スケジューリングする段階と、通信コントローラによって、相互スケジューリングされたリソースに従って、第１のＵＥに対する第１の伝送パラメータ及び第２のＵＥに対する第２の伝送パラメータを決定する段階と、通信コントローラによって、第１のＵＥに対する第１の伝送パラメータ及び第２のＵＥに対する第２の伝送パラメータに従って、第１のＵＥ及び第２のＵＥと通信を行う段階と、を含む。
【０００６】
本開示の他の例示的実施形態によれば、通信デバイスを動作させるための方法が提供される。方法は、通信デバイスによって、ビームフォーミングされた複数のチャネル状態情報参照信号（ＣＳＩ−ＲＳ）を受信する段階と、通信デバイスによって、複数の受信されたＣＳＩ−ＲＳに従って、チャネル条件報告を決定する段階と、通信デバイスによって、通信コントローラにチャネル条件報告を送信する段階と、通信デバイスによって、通信コントローラから伝送パラメータを受信する段階であって、伝送パラメータは、チャネル条件報告及びモビリティ推定に従って選択され、伝送パラメータは、通信デバイスに割り当てられる第１の復調参照信号（ＤＭＲＳ）リソース、及び相互スケジューリングされる通信デバイスに割り当てられる第２のＤＭＲＳリソースの位置を含む、段階と、通信デバイスによって、第２のＤＭＲＳリソースの位置において、受信信号電力を測定する段階と、通信デバイスによって、受信信号電力の測定値に従って、干渉除去受信機を構成する段階と、を含む。
【０００７】
本開示の他の例示的実施形態によれば、通信コントローラが提供される。通信コントローラは、プロセッサと、プロセッサによる実行のためのプログラミングを格納するコンピュータ可読記憶媒体と、を含む。プログラミングは、受信されたチャネル条件報告、ＵＥ干渉除去（ＩＣ）能力報告及びモビリティ推定に従って、複数のユーザ機器（ＵＥ）をグループ化し、これにより、ＵＥのグループに関する情報を生成することと、複数のＵＥから第１のＵＥ、及び複数のＵＥから第２のＵＥを選択することであって、第１のＵＥは、グループ化に関する情報に従って選択され、広幅ビームが第１のＵＥに割り当てられ、狭幅ビームが第２のＵＥに割り当てられ、広幅ビーム及び狭幅ビームは、空間的に重複する、選択することと、第１のＵＥ及び第２のＵＥに、第１の伝送ブロックのリソースを相互スケジューリングすることと、相互スケジューリングされたリソースに従って、第１のＵＥに対する第１の伝送パラメータ及び第２のＵＥに対する第２の伝送パラメータを決定することと、第１のＵＥに対する第１の伝送パラメータ及び第２のＵＥに対する第２の伝送パラメータに従って、第１のＵＥ及び第２のＵＥと通信を行うことと、を実行する命令を含む。
【０００８】
前述の実施形態の実施により、ＵＥは、異なるビーム幅及び／又はビームレベルを割り当てられることが可能となり、異なるビームレベルにより、複数のＵＥの相互スケジューリングを容易化し、これにより、複数のＵＥは同時に相互スケジューリングされることが可能となるので、スペクトル効率を向上させる。よりｅＮＢに近いＵＥ及び／又は高いモビリティのこれらのＵＥは、より広いビーム幅の伝送ビームを割り当てられることができる、これにより、より大きいリンクのロバスト性を提供するので、リンクのロバスト性も向上する。
【０００９】
さらに、相互スケジューリングされるＵＥは、同じハードウェアのサブセットを同時に用いることができるので、ｅＮＢにおけるハードウェアリソースが、より最適に利用されてよい。従って、電力消費が減少した、より低コストで、より複雑性の低いｅＮＢが、より多くのＵＥをサポートすることができる。
【図面の簡単な説明】
【００１０】
本開示及びその利点をより完全に理解せしめるべく、ここで、添付図面と併せて、以下の説明が参照される。
【００１１】
【図１】本明細書において説明される例示的実施形態に係る例示的通信システムを示す。
【００１２】
【図２】本明細書において説明される例示的実施形態に係るＮＯＭＡオペレーションを強調した例示的通信システムを示す。
【００１３】
【図３ａ】異なるレベルの伝送ビームを示す。
【図３ｂ】異なるレベルの伝送ビームを示す。
【図３ｃ】異なるレベルの伝送ビームを示す。
【００１４】
【図４】本明細書において説明される例示的実施形態に係る伝送ビーム周波数の変化に対して、モビリティ及び伝送ビーム幅を強調した例示的通信システムを示す。
【００１５】
【図５】本明細書において説明される例示的実施形態に係る例示的ｅＮＢ及びそのサービスエリアを示す。
【００１６】
【図６】本明細書において説明される例示的実施形態に係るブロックされた空間リソースを強調した例示的ｅＮＢを示す。
【００１７】
【図７】本明細書において説明される例示的実施形態に係る狭幅伝送ビーム及び広幅伝送ビームの相互スケジューリングを強調した例示的ｅＮＢを示す。
【００１８】
【図８】本明細書において説明される例示的実施形態に係る例示的な伝送ビームを示す。
【００１９】
【図９】ＮＯＭＡにおける異なるＵＥに対する例示的な伝送電力レベル割り当ての図を示す。
【００２０】
【図１０】本明細書において説明される例示的実施形態に係るＭＬＢ−ＮＯＭＡにおける異なるＵＥに対する例示的な伝送電力レベル割り当ての図を示す。
【００２１】
【図１１】本明細書において説明される例示的実施形態に係るＭＬＢ−ＮＯＭＡにおける異なるＵＥに対する例示的伝送ビーム割り当ての図を示す。
【００２２】
【図１２】本明細書において説明される例示的実施形態に係る例示的ハイブリッドビームフォーミング回路を示す。
【００２３】
【図１３ａ】本明細書において説明される例示的実施形態に係る復調参照信号（ＤＭＲＳ）リソース位置の第１の例を示す。
【００２４】
【図１３ｂ】本明細書において説明される例示的実施形態に係るＤＭＲＳリソース位置の第２の例を示す。
【００２５】
【図１３ｃ】本明細書において説明される例示的実施形態に係るＤＭＲＳリソース位置の第３の例を示す。
【００２６】
【図１４】本明細書において説明される例示的実施形態に係るＭＬＢ−ＮＯＭＡ通信に参加するｅＮＢにおいて行われる例示的な高レベルオペレーションのフロー図を示す。
【００２７】
【図１５】本明細書において説明される例示的実施形態に係るＭＬＢ−ＮＯＭＡ通信に参加するＵＥにおいて行われる例示的な高レベルオペレーションのフロー図を示す。
【００２８】
【図１６ａ】本明細書において説明される例示的実施形態に係るＭＬＢ−ＮＯＭＡ通信中に行われる例示的オペレーションのフロー図を示す。
【図１６ｂ】本明細書において説明される例示的実施形態に係るＭＬＢ−ＮＯＭＡ通信中に行われる例示的オペレーションのフロー図を示す。
【００２９】
【図１７】本明細書において説明される例示的実施形態に係る複数の近隣のＣＳＩ−ＲＳビームの複数のフィードバック報告からのモビリティ推定を示す図を示す。
【００３０】
【図１８】本明細書において説明される例示的実施形態に係るＭＬＢ−ＮＯＭＡ通信中に行われる代替的な例示的オペレーションのフロー図を示す。
【００３１】
【図１９】本明細書において開示されるデバイス及び方法を実装するために利用可能な処理システムのブロック図である。
【発明を実施するための形態】
【００３２】
本例示的実施形態の動作及びこれらの構造が、以下、詳細に説明される。ただし、本開示は、広範な具体的文脈において具現化可能な、多数の適用可能な発明の概念を提供するものであることを理解されたい。説明される具体的な実施形態は、本開示の具体的な構造及び本開示を動作させる態様の例示に過ぎず、本開示の範囲を限定するものではない。
【００３３】
本開示の一実施形態は、マルチレベルのビームフォーミングされた非直交多重アクセス（ＮＯＭＡ）通信に関する。例えば、通信コントローラは、受信されたチャネル条件報告、ＵＥ干渉除去（ＩＣ）能力報告、及びモビリティ推定に従って、複数のユーザ機器（ＵＥ）をグループ化し、これにより、グループ化に関する情報を生成することと、複数のＵＥから第１のＵＥ、及び複数のＵＥから第２のＵＥを選択することであって、選択は、グループ化に関する情報に従い、広幅ビームが第１のＵＥに割り当てられ、狭幅ビームが第２のＵＥに割り当てられ、広幅ビーム及び狭幅ビームは、空間的に重複する、選択することと、第１の伝送ブロックのリソースを、第１のＵＥ及び第２のＵＥに相互スケジューリングすることと、相互スケジューリングされたリソースに従って、第１のＵＥに対する第１の伝送パラメータ及び第２のＵＥに対する第２の伝送パラメータを決定することと、第１のＵＥに対する第１の伝送パラメータ及び第２のＵＥに対する第２の伝送パラメータに従って、第１のＵＥ及び第２のＵＥと通信を行うことと、を実行する。
【００３４】
本開示は、特定の文脈における例示的実施形態、すなわち、マルチレベルのビームフォーミングされたＮＯＭＡ通信技術を用いる通信システムに関して説明される。本開示は、第３世代パートナシッププロジェクト（３ＧＰＰ）、ＩＥＥＥ８０２．１１等に準拠するもののような、標準に準拠した通信システム、技術標準、マルチレベルのビームフォーミングされたＮＯＭＡ通信技術を用いた、標準に準拠しない通信システムに適用されてよい。
【００３５】
図１は、例示的通信システム１００を示す。通信システム１００は、ＵＥ１１０、１１２、１１４及び１１６のような複数のユーザ機器（ＵＥ）にサービスする発展型ＮｏｄｅＢ（ｅＮＢ）１０５を含む。第１の動作モードにおいて、ＵＥへの伝送及びＵＥによる伝送は、ｅＮＢ１０５を通過する。ｅＮＢ１０５は、ＵＥとの間の伝送のための通信リソースを割り当てる。ｅＮＢは、一般的に、基地局、ＮｏｄｅＢ、伝送ポイント、リモート無線ヘッド、又はアクセスポイント等と称されることもあり、ＵＥは、一般的に、モバイル、モバイル局、端末、加入者、ユーザ等と称されることもある。通信リソースは、時間リソース、周波数リソース、コードリソース、時間−周波数リソース等であってよい。
【００３６】
通信システムは、多数のＵＥと通信可能な複数のｅＮＢを用いてよいことが理解されるが、１つのｅＮＢのみと多数のＵＥが、単純化のために示される。
【００３７】
ＮＯＭＡは、電力ドメインにおける経路損失が大きく異なるＵＥを相互スケジューリングすることによって、スペクトル効率を向上させる技術である。よりｅＮＢに近いＵＥへの伝送は、概して、さらに遠いＵＥへの伝送より低い伝送電力レベルが割り当てられる。
【００３８】
図２は、ＮＯＭＡオペレーションを強調した例示的通信システム２００を示す。通信システム２００は、ＵＥ１  ２１０及びＵＥ２  ２１５にサービスするｅＮＢ２０５を含む。図２に示されるように、ＵＥ１  ２１０は、ＵＥ２  ２１５よりｅＮＢ２０５に近い。概して、受信信号プラス干渉対ノイズ比（ＳＩＮＲ）は、ＵＥがｅＮＢ（伝送ソース）により近い場合により高くなり、ＵＥがｅＮＢからさらに遠い場合により低くなる。図２は、伝送ソースからの距離と経路損失との間の関係を示すが、ｅＮＢからの距離が相対的に同じである２つのＵＥが、類似しない経路損失を有する可能性があり得る。従って、分離は、経路損失に対する唯一の寄与として解されるべきではない。
【００３９】
サブグラフ２２０は、ｅＮＢ２０５によるＵＥ１  ２１０及びＵＥ２  ２１５への伝送の、伝送電力対時間／周波数プロットを示す。サブグラフ２２０に示されるように、ＵＥ１  ２１０への伝送（ブロック２２５）は、ＵＥ２  ２１５への伝送（ブロック２３０）の伝送電力の一部において行われる。概して、ｅＮＢからＵＥへの間の経路損失がより大きければ、ｅＮＢとＵＥとの間の伝送の伝送電力は、より大きくなる。
【００４０】
ｅＮＢにより近い（又は経路損失がより小さい）ＵＥ（例えば、ＵＥ１  ２１０）は、所望の伝送（すなわち、より近い（又は経路損失がより小さい）ＵＥ用に受信された伝送の一部）をデコードして所望の信号を取得する前に、直列干渉除去（ＳＩＣ）のような干渉除去（ＩＣ）技術を用いて、マルチユーザ（ＭＵ）干渉を有効に除去してよい。強調された部分２４０は、ＵＥ１  ２１０の例示的デコードオペレーションを示す（ＵＥ１  ２１０は、干渉除去のためにＳＩＣを用い（ブロック２４５）、次に、干渉が除去された受信信号をデコードし（ブロック２４７）、ＵＥ１  ２１０用のデータを生成してよい）。ＳＩＣ技術は、所望の信号とＭＵ干渉との間の電力差が大きい場合に、非常に有効に機能する。ｅＮＢからさらに遠い（又は、経路損失がより大きい）ＵＥ（例えば、ＵＥ２  ２１５）は、低いＭＵ干渉を有してよく、受信された伝送を単にデコードすることができる。強調された部分２５０は、ＵＥ２  ２１５における例示的デコードオペレーションを示す（ＵＥ２  ２１５は、受信信号をデコードし、ＵＥ２  ２１５用のデータを生成してよい）。
【００４１】
ＮＯＭＡは、（３次元マルチユーザ多入力多出力（３Ｄ  ＭＵ−ＭＩＭＯ）で必要とされるように）チャネルの全てを認識するのと対照的に、通常、電力制御の目的で、チャネル品質インジケータ（ＣＱＩ）フィードバックのみを必要とする。これは、場合によっては、経路損失の異なるＵＥ（これらのｅＮＢまでの距離が異なる結果による場合もそうでない場合もある）の相互スケジューリングにとって、ロバストで有用となる。
【００４２】
ミリメートル波（ｍｍＷａｖｅ）技術は、無線ＨＤ、欧州情報通信システム標準化協会（ＥＣＭＡ）標準ＥＣＭＡ−３６７、ＩＥＥＥ８０２．１５．３ｃ、無線ギガビットアライアンス（ＷｉＧｉｇ）、ＩＥＥＥ８０２．１１ａｄ等を含む、様々な短距離無線のローカルエリアネットワーク（ＷＬＡＮ）用途に、６０ＧＨｚにおいて用いられている。ｍｍＷａｖｅ技術標準の大部分は、しばしばビームトレーニングと称される、反復的なマルチレベルコードブックアプローチを用いる。ここで、伝送ビームは、概して、広いビームから開始し、次に、連続的に、より狭いビームに進み、アクセスポイント（機能においてｅＮＢと類似するデバイス）と局（機能においてＵＥと類似するデバイス）との間で、最良の伝送ビームの組み合わせを見出す。
【００４３】
図３ａ−３ｃは、異なるレベルの伝送ビームを示す。図３ａは、準全方向ビーム３０５を表示し、図３ｂは、セクタ幅のビーム３１０を表示し、図３ｃは、サブセクタ幅のビーム３１５を表示する。
【００４４】
例示的実施形態によれば、マルチレベルコードブックは、データ伝送のための第５世代（５Ｇ）ｍｍＷａｖｅセルラオペレーションにおいて、ｅＮＢ及び／又はＵＥにおいて用いられてよい。周波数分割複信（ＦＤＤ）オペレーションのために構成される通信システムにおいて、ＵＥからｅＮＢへのフィードバックは、チャネル状態情報参照信号（ＣＳＩ−ＲＳ）シグナリングに基づくコードブックベースのフィードバックであってよい。ｍｍＷａｖｅ周波数における高経路損失に起因して、ＣＳＩ−ＲＳは、十分なビームフォーミング利得によりビームフォーミングされなければならない（かつ、従って、これに対応して狭いビームを用いる）。これにより、セルエッジのＵＥは、十分に高い信号対ノイズ比（ＳＮＲ）のＣＳＩ−ＲＳを受信し、次に引き続き、ＣＳＩ情報をｅＮＢにフィードバックすることができる。時分割複信（ＴＤＤ）オペレーションのために構成される通信システムにおいて、ＵＥは、異なるｅＮＢからＵＥへの伝送ビームの組み合わせに関するアップリンクサウンディング参照信号（ＳＲＳ）を送信してよい。伝送ビームは、コードブックベースであってよく、ｅＮＢは、最良の伝送ビームの組み合わせを選択し、当該伝送ビームの組み合わせに対して測定されたアップリンクチャネル（Ｈ）を用いて、非コードブックベースのビームフォーミングを実行してよい。全てのとり得るｅＮＢからＵＥへの伝送ビームの組み合わせに対するＳＲＳサウンディングは、極めて高いオーバーヘッドをもたらし得るので、ＴＤＤオペレーションは、ＣＳＩ−ＲＳフィードバックを用いて、ＳＲＳサウンディングのためにとり得るｅＮＢからＵＥへの伝送ビームの組み合わせ数を減少させてもよい。
【００４５】
（ＴＤＤ又はＦＤＤの）いずれかの状況において、ｅＮＢは、コードブックベース又は非コードブックベースのアプローチのいずれかを用いて、最終的なデータをビームフォーミングしてよい。ｅＮＢは、データ伝送に対して、復調参照信号（ＤＭＲＳ）ベースのアプローチを用いてもよい。
【００４６】
ＵＥが高いモビリティを有する場合、ＣＳＩ−ＲＳフィードバックは、十分な頻度である必要がある。これにより、ＵＥは、ｅＮＢから最良の伝送ビームを受信する。
【００４７】
図４は、伝送ビーム周波数の変化に対して、モビリティ及び伝送ビーム幅を強調した例示的通信システム４００を示す。通信システム４００は、ＵＥ４１０にサービスするｅＮＢ４０５を含む。ＵＥ４１０は、ｅＮＢ４０５のサービスエリアを通って高速で移動する。説明目的のために、ｅＮＢが、８度の半電力ビーム幅（ＨＰＢＷ）の固定ビームを用いてＵＥ４１０にデータを伝送し、ＵＥ４１０が、６０キロメートル／時又は１６．６６メートル／秒で移動している状況を考える。８度のＨＰＢＷにより、伝送ビームは、ｅＮＢ４０５から１０メートルの距離において１．４メートルのエリア（領域４１５として示される）、及びｅＮＢ４０５から２００メートルの距離において２６メートルのエリア（領域４２０として示される）に広がる。従って、ＵＥ４１０がｅＮＢ４０５から１０メートルの場合、新たな伝送ビームが８ミリ秒毎に必要とされ、ＵＥ４１０がｅＮＢ４０５から２００メートルの場合、新たな伝送ビームが１．５秒毎に必要とされる（両方の時間は、見通し線（ＬＯＳ）のシナリオにおいて導出される）。従って、よりこれらのｅＮＢに近いＵＥは、これらのｅＮＢからさらに遠いＵＥよりはるかに高いレートで、ｅＮＢにフィードバックを提供しなければならないことがある。続いて、ｅＮＢは、これらのＵＥに割り当てられた伝送ビームを、はるかに高いレートで変更しなければならない。上述の例は、単純化されたＬＯＳシナリオによる。（ＵＥにおける）局所的散乱、非ＬＯＳ（ＮＬＯＳ）オペレーション、ｅＮＢ付近の（車両等のような）移動する「障害」物等が、レート差を減少させることがある。さらに、固定幅の伝送ビームにより、よりｅＮＢに近いＵＥは、さらに遠いＵＥと比較して、極めて大きいＳＮＲマージンを有することがある。
【００４８】
図５は、例示的ｅＮＢ５００及びそのサービスエリアを示す。ｅＮＢ５００は、セクタ５０５のような３つの１２０度のセクタに分割されるサービスエリアを有する。ｅＮＢ５００は、８度の半電力帯域幅（ＨＰＢＷ）の伝送ビームにおいて、ＣＳＩ−ＲＳを伝送してよい。セクタ５０５のような単一の１２０度のセクタに対して、８度のＨＰＢＷの伝送ビームを用いることは、セクタあたり１５の伝送ビームが存在することを示唆する。ｅＮＢ５００によってサービスされるＵＥがそれ自体の４つのビームをさらに有する場合、各ＵＥは、それがフィードバックを報告すべきＣＳＩ−ＲＳの組み合わせを、６０個まで評価しなければならないことがある。
【００４９】
図６は、ブロックされた空間リソースを強調した例示的ｅＮＢ６００を示す。ｅＮＢ６００は、セクタ６０５のような３つの１２０度のセクタに分割されるサービスエリアを有する。ｅＮＢ６００は、セクタ６０５において、３つのＵＥ、すなわち、ＵＥ１  ６１０、ＵＥ２  ６１５、及びＵＥ３  ６２０にサービスしていてよい。図４の説明において前述の課題を軽減するために、かつ、モビリティに対するリンクのロバスト性を向上させるべく、ｅＮＢ６００は、よりｅＮＢ６００に近いＵＥ及び／又は高いモビリティを有するＵＥに、静止するＵＥ及び／又はｅＮＢ６００からさらに遠いＵＥに割り当てられるものより広幅の伝送ビーム（コードブックベース又は非コードブックベースのいずれか）を割り当てることが、合理的であってよい。図６に示されるように、より広幅の伝送ビーム６２２が、ＵＥ３  ６２０に割り当てられてよく、より狭幅の伝送ビーム６１２及び６１７が、ＵＥ１  ６１０及びＵＥ２  ６１５に割り当てられてよい。より広幅の伝送ビームをより近くのＵＥ及び／又は高いモビリティのＵＥに割り当てることは、リンクのロバスト性を向上させるが、空間リソース（領域６２５として示される）は、ブロックされることがある。ブロックされた空間リソースは、概して、他のＵＥによって利用可能ではなく、従って、無駄となる。ブロックされた空間リソースは、３Ｄビームフォーミングの利用により軽減され得るが、３Ｄビームフォーミングは、高いモビリティのＵＥに対するフィードバックに影響されることもある。
【００５０】
例示的実施形態によれば、狭幅伝送ビームは、広幅伝送ビームの上に相互スケジューリングされ（すなわち、空間的に重複し）、ブロックされた空間リソースの解消に役立つ。狭幅伝送ビームは、広幅伝送ビームによってサービスされるＵＥが干渉除去（ＩＣ）能力を有する場合、広幅伝送ビームの上にスケジューリングされ（すなわち、空間的に重複し）てよい。概して、２つのビームは、これらの空間応答が重複する場合、及び／又はこれらが互いに強い干渉を発生させる場合、空間的に重複する（又は、互いの上にある）といってよい。狭幅伝送ビームによってサービスされるＵＥは、これらの受信された干渉レベルが低い場合は、ＩＣ可能である必要はなくてよい。この技術は、本明細書において、マルチレベルビームフォーミングＮＯＭＡ（ＭＬＢ−ＮＯＭＡ）と称される。
【００５１】
図７は、狭幅伝送ビーム及び広幅伝送ビームの相互スケジューリングを強調した例示的ｅＮＢ７００を示す。ｅＮＢ７００は、セクタ７０５のような３つの１２０度のセクタに分割されるサービスエリアを有する。ｅＮＢ７００は、セクタ７０５において３つのＵＥ、すなわち、ＵＥ１  ７１０、ＵＥ２  ７１５、及びＵＥ３  ７２０にサービスしていてよい。ＵＥ１  ７１０及びＵＥ３  ７２０は、ｅＮＢ７００に近く、及び／又はこれらは、高いモビリティのＵＥであるため、これらは、広幅伝送ビーム７２５によってサービスされてよい。図７に示されるように、ＵＥ３  ７２０は、広幅伝送ビーム７２５によってサービスされてよい。狭幅伝送ビーム７３０に対するその位置に起因して、ＵＥ３  ７２０は、狭幅伝送ビーム７３０から低レベルの干渉を受けることがある。同様に、ＵＥ２  ７１５は、狭幅伝送ビーム７３０によってサービスされてよい。ＵＥ２  ７１５は、広幅伝送ビーム７２５のサービスエリアから十分外にいるので、ＵＥ２  ７１５は、広幅伝送ビーム７２５から無視できる程の干渉を受けることがある。ＵＥ１  ７１０は、広幅伝送ビーム７２５によってサービスされてもよい。ただし、ＵＥ１  ７１０は、狭幅伝送ビーム７３０から高電力干渉を受けることがある。ダウンリンク伝送のみが示されることに留意されたい。本明細書において説明される例示的実施形態は、アップリンク伝送にも適用可能であってよい。
【００５２】
さらに、広幅伝送ビームの異なる角度ゾーンは、異なるレベルの干渉を有することがある。例示的実施形態によれば、異なるレベルの干渉は、異なるクラスのＵＥをスケジューリングするために用いられる。
【００５３】
図８は、例示的な伝送ビーム８００を示す。図８に示されるように、伝送ビーム８００は、狭幅伝送ビーム８０５及び広幅伝送ビーム８１０を含む。狭幅伝送ビーム８０５は、複数のサイドローブ８１５を含んでよい。広幅伝送ビーム８１０のサービスエリアの異なる角度ゾーンは、狭幅伝送ビーム８０５から異なるレベルの干渉を有することがある。狭幅伝送ビーム８０５によって完全にカバーされる第１の領域は、狭幅伝送ビーム８０５から高レベルの干渉を受け、高干渉領域８２０と称される。狭幅伝送ビーム８０５の最大のサイドローブによって完全にカバーされる２つの領域は、狭幅伝送ビーム８０５から中間レベルの干渉を受け、中間干渉領域８２５及び８２７と称される。狭幅伝送ビーム８０５のより小さいサイドローブによって完全にカバーされる２つの領域は、狭幅伝送ビーム８０５から小レベルの干渉を受け、低干渉領域８３０及び８３２と称される。
【００５４】
例示的実施形態によれば、ＭＬＢ−ＮＯＭＡは、複数の可能なオペレーションモードのうちの、１つのオペレーションモードである。オペレーションモードは、所与のシナリオに対して、最良の性能を提供するように選択される。他のオペレーションモードは、単一のスケジューリングされるＵＥ（例えば、シングルユーザ多入力多出力（ＳＵ−ＭＩＭＯ）、伝送及び／又は受信ダイバーシチ等）、及び従来技術（例えば、マルチユーザＭＩＭＯ（ＭＵ−ＭＩＭＯ）等）を用いた複数のスケジューリングされるＵＥを含んでよい。
【００５５】
例示的実施形態によれば、広範囲な能力を有する広幅伝送ビームのＵＥは、狭幅伝送ビームのＵＥと相互スケジューリングされることができる。広幅伝送ビームは異なる干渉領域を有するので、広幅伝送ビームによってサービスされるＵＥは、必ずしも、狭幅伝送ビームによってサービスされるＵＥと相互スケジューリングされるためにＩＣ可能でなくてよい。説明例として、任意のＵＥ（ＩＣ可能である必要はない）は、（低干渉領域８３０及び８３２のような）低干渉領域においてスケジューリングされてよい。（高干渉領域８２０のような）高干渉領域において、ＵＥは、スケジューリングされるためにＳＩＣ可能でなければならず、（中間干渉領域８２５及び８２７のような）中間干渉領域において、ＵＥは、高度なＩＣ能力を有さなければならない。
【００５６】
例示的実施形態によれば、ＵＥは、これらのＩＣ能力に従って分類される。説明例として、４つのＩＣ能力カテゴリが用いられてよい。カテゴリ１（００）は、ＩＣ能力なし、カテゴリ２（０１）は、少なくともＳＩＣ可能である、カテゴリ３及び４（１０及び１１）は、高度なＩＣ能力を有する。４つのＩＣ能力カテゴリにより、２ビットのインジケータが、ＵＥのＩＣ能力を示すために用いられてよい。
【００５７】
図９は、ＮＯＭＡにおける異なるＵＥに対する例示的な伝送電力レベル割り当て９００の図を示す。ＮＯＭＡにおいて、異なるＵＥは、異なる伝送電力レベルを割り当てられる。伝送電力制御は、ｅＮＢにおいて、異なる経路損失のＵＥを相互スケジューリングするために実行される。伝送電力制御及びＵＥのスケジューリングを単純化すべく、ＵＥは、異なるものの、定義された伝送電力レベルにグループ化されてよい。図９に示されるように、ＵＥ１  ９０５、ＵＥ２  ９１０、及びＵＥ３  ９１５は、それぞれ、伝送電力レベルＰ１、Ｐ２、及びＰ３を割り当てられる。
【００５８】
有効伝送電力は、伝送電力レベルに伝送アンテナ利得をプラスしたものに等しい（すなわち、ＴＸｅｆｆｅｃｔｉｖｅ＿ｐｏｗｅｒ＝ＴＸｐｏｗｅｒ＋ＴＸｇａｉｎ）ことに留意されたい。従って、伝送電力レベル（伝送デバイスの無線周波数（ＲＦ）チェーンの電力増幅器（ＰＡ）の出力電力であってよい）を変化させる代わりに（又はこれに加えて）、伝送アンテナ利得を調整することによって、異なる伝送電力レベルを実現することが可能であってよい。
【００５９】
例示的実施形態によれば、異なる有効伝送電力レベルは、伝送電力レベルを変化させる代わりに（又はこれに加えて）、伝送アンテナ利得を調整することによって（例えば、ビームフォーミングによって）実現される。
【００６０】
図１０は、ＭＬＢ−ＮＯＭＡにおける異なるＵＥに対する例示的な伝送電力レベル割り当て１０００の図を示す。ＭＬＢ−ＮＯＭＡにおいて、異なるＵＥは、伝送アンテナ利得を変化させることによって（かつ、場合によってはさらに、伝送電力レベルの調整により）調整される異なる有効伝送電力レベルを割り当てられる。伝送アンテナ利得を変化させることは、伝送ビームのＨＰＢＷに対する影響をさらに有する。概して、伝送ビーム幅がより広ければ、伝送アンテナ利得はより小さくなる。逆に、伝送ビーム幅がより狭ければ、伝送アンテナ利得はより大きくなる。
【００６１】
図１０に示されるように、ＵＥ１（又は第１の有効伝送電力レベル（レベル１）にグループ化されたＵＥ）１００５は、有効伝送電力レベルの低い広幅伝送ビーム１００７を割り当てられ、ＵＥ３（又は第３の有効伝送電力レベル（レベル３）にグループ化されたＵＥ）１０２５は、有効伝送電力レベルの高い狭幅伝送ビーム１０２７を割り当てられる。ＵＥ２（又は第２の有効伝送電力レベル（レベル２）にグループ化されたＵＥ）１０１５は、中間の有効伝送電力レベルの中間幅伝送ビーム１０１７を割り当てられる。低、中間、及び高有効伝送電力レベルは全て、電力増幅器（ＰＡ）からの公称伝送電力レベルＰ０を一定に保ちつつ、異なるアンテナ利得Ｇｉによって実現される。ビームフォーミング利得が、ＮＯＭＡに対する伝送電力レベル制御の代わりに用いられる場合、それぞれのＲＦチェーンの、必要とされるＰＡの線形動的範囲（例えば、ｍｍＷａｖｅ  ＰＡ）は減少し、必要とされるＰＡのバックオフの減少をもたらし得る。これは、より高いＰＡ効率をもたらし得る。アンテナ利得を変化させることに加えて、ＰＡの伝送電力レベルを調整することも可能であることに留意されたい。
【００６２】
図１１は、ＭＬＢ−ＮＯＭＡにおける異なるＵＥに対する例示的伝送ビーム割り当て１１００の図を示す。ＭＬＢ−ＮＯＭＡにおいて、異なるＵＥは、伝送アンテナ利得を変化させることによって調整される異なる伝送電力レベルを割り当てられる。図１１に示されるように、レベル１  １１０５にグループ化されるＵＥは、１／２λ（波長）の間隔を有する、ほぼ５０度のＨＰＢＷをもたらす２つの伝送アンテナ（又は位相シフタ）を用いてビームフォーミングされた伝送ビームを割り当てられてよい。同様に、レベル２  １１１０にグループ化されるＵＥは、１／２λの間隔を有する、ほぼ２５度のＨＰＢＷをもたらす４つの伝送アンテナ（又は位相シフタ）を用いてビームフォーミングされた伝送ビームを割り当てられてよく、レベル３  １１１５にグループ化されるＵＥは、（再び１／２λの間隔を有する）ほぼ１２．５度のＨＰＢＷをもたらす８つの伝送アンテナ（又は位相シフタ）を用いてビームフォーミングされた伝送ビームを割り当てられてよい。図１１に示されるように、異なるグループに対する伝送電力レベルは、異なるアンテナ利得及び異なる公称伝送電力レベルにより実現されてよい。異なる幅の伝送ビームに対する公称伝送電力レベル（例えば、Ｐ１、Ｐ２、及びＰ３）は、全て同じ（例えば、Ｐ０に等しい）であってよく、又はビーム利得の差を補償する（非コードブック伝送ビームに特に有用となり得る）、及び／又はＳＩＣ受信機の性能を向上させるように、調整されてよい。
【００６３】
伝送のためにマルチレベルコードブックを用いることにより、ＵＥは、狭いビームの（又はビームフォーミングされた）ＣＳＩ−ＲＳからのフィードバックに基づく異なるビームレベルに関連付けられることが可能であってよい。フィードバックは、チャネル品質インジケータ（ＣＱＩ）、参照信号受信電力（ＲＳＲＰ）フィードバック等の形であってよい。ＵＥの異なるビームレベルとの関連は、ＵＥのモビリティに基づくものであってもよい。ＵＥのモビリティは、ｅＮＢによって推定されてよく、又は、ｅＮＢに報告されてよい。
【００６４】
非コードブック伝送が用いられる場合、伝送ビームあたり割り当てられる位相シフタ（又はアンテナ）の数は、非コードブックで形成されたビームの最小ビーム幅を決定してよい。ただし、実際の非コードブックベースのビーム幅は、最小ビーム幅よりはるかに大きくてよい。
【００６５】
例示的実施形態によれば、デジタルプリコーディングが、ＲＦ（又はアナログ）ビームフォーミングと組み合わせられる。ｅＮＢは、有限な数の位相シフタ（又はアンテナ）及びＲＦチェーンリソースを有するので、マルチレベルのビームを用いることは、狭幅伝送ビームのサブセットが広幅伝送ビームと同時に用いられてよいので、これらの有限なリソースを有効利用する。
【００６６】
図１２は、例示的ハイブリッドビームフォーミング回路１２００を示す。ハイブリッドビームフォーミング回路１２００は、デジタルプリコーディング部１２０５と、１つ又は複数のＲＦチェーン１２１０とを含み、各ＲＦチェーンは、４つの位相シフタを含む。デジタルプリコーディング部１２０５は、狭幅伝送ビームに割り当てられるＵＥに対する１つ又は複数のＲＦチェーンに、プリコーディングを適用してよい。説明例として、２つのＲＦチェーンが、１２．５度の伝送ビームを実現するために用いられる。同じハイブリッドビームフォーミング回路１２００により、より広幅のビームに割り当てられるＵＥが、単一のＲＦチェーンに多重化されることをさらに可能とする。
【００６７】
前述されたように、復調参照信号（ＤＭＲＳ）は、データ伝送の復調を補助するためにＵＥによって用いられる、ＵＥ固有の参照信号である。干渉する伝送ビームに対するＵＥの位置は異なり得るので、異なる伝送ビームレベルは、異なるＤＭＲＳリソースを用いることとなる。これにより、受信ＵＥにおける、干渉するビームの電力レベル及びそれぞれのＤＭＲＳリソースが決定可能となり、受信ＵＥにおけるＩＣが構成可能となる。相互スケジューリングされるＵＥのＤＭＲＳリソースの位置（時間及び周波数リソース）は、ＩＣ目的のために、各ＵＥにおいて認識される必要がある。ＤＭＲＳリソースの位置は、（明示的に又は暗示的に）シグナリングされてよい。説明例として、ＩＣ能力を有するＵＥは、他の相互スケジューリングされるＵＥのＤＭＲＳリソースの具体的な位置に関してシグナリングされてよく、ＵＥは、ＤＭＲＳリソースのシグナリングされた位置において、他の相互スケジューリングされるＵＥの受信電力を測定し、測定値に従って、そのＩＣ受信機を構成してよい。
【００６８】
図１３ａは、第１の例示的ＤＭＲＳリソース位置１３００を示す。第１の例示的ＤＭＲＳリソース位置１３００は、別個のＤＭＲＳ領域１３０５を含む。ＤＭＲＳ領域１３０５内において、特定の伝送ビームレベルに対するＤＭＲＳがシグナリングされ、他の伝送ビームレベルに対するＤＭＲＳはシグナリングされない。各伝送ビームレベルに対するＤＭＲＳを別個にシグナリングすることは、ＵＥのためのチャネル及び相互スケジューリングされるＵＥの干渉チャネルを最も良好に推定する。異なるＤＭＲＳシーケンスが、異なる伝送ビームレベルに対して用いられてよい。
【００６９】
図１３ｂは、第２の例示的ＤＭＲＳリソース位置１３３０を示す。第２の例示的ＤＭＲＳリソース位置１３３０において、各伝送ビームレベルに対するＤＭＲＳは、第１の例示的ＤＭＲＳリソース位置１３００のように、別個にシグナリングされる。ただし、伝送ビームレベルは、そのＤＭＲＳをシグナリングしない場合、ＵＥデータをシグナリングする。説明例として、ＵＥ３に対するＤＭＲＳ１３３５がシグナリングされ、ＵＥ２及びＵＥ１に対するＵＥデータがシグナリングされる。異なるＤＭＲＳシーケンスが、異なる伝送ビームレベルに対して用いられてよい。
【００７０】
図１３ｃは、第３の例示的なＤＭＲＳリソース位置１３６０を示す。第３の例示的なＤＭＲＳリソース位置１３６０において、全ての伝送ビームレベルに対するＤＭＲＳが、同時にシグナリングされる。説明例として、ＵＥ３に対するＤＭＲＳ１３３５がシグナリングされ、ＵＥ２及びＵＥ１に対するＤＭＲＳもシグナリングされる。この場合、異なる伝送ビームレベルは、これらのＤＭＲＳリソースに対して異なる拡散（又はスクランブル）シーケンスを用いなければならない。
【００７１】
図１４は、ＭＬＢ−ＮＯＭＡ通信に参加するｅＮＢにおいて行われる例示的な高レベルオペレーション１４００のフロー図を示す。オペレーション１４００は、ｅＮＢがＭＬＢ−ＮＯＭＡ通信に参加すると、ｅＮＢにおいて行われるオペレーションを示してよい。
【００７２】
オペレーション１４００は、ｅＮＢの初期化により開始してよい（ブロック１４０５）。初期化は、ｅＮＢが、１つ又は複数のＵＥと共にランダムアクセスチャネル（ＲＡＣＨ）手順に参加することを含んでよい。換言すると、ｅＮＢは、それがサービスするＵＥが通信を必要としているとの認識を得る。ｅＮＢは、ＵＥ能力報告を受信し、ＵＥを分類してよい（ブロック１４０７）。ｅＮＢは、そのＵＥから能力報告を受信してよい。能力報告は、ＵＥのＩＣ能力、及びＵＥのビームフォーミング能力に関する情報を含んでよい。能力報告は、ＭＩＭＯ能力、処理能力等をさらに含んでよい。能力報告は、ＵＥのＩＣ能力を分類するために用いられてよい。説明例として、ＵＥは、これらのＩＣ能力に基づいて、いくつかの分類の１つに分類されてよい。分類は、ＩＣなし、単純ＩＣ、高度ＩＣ、超高度ＩＣを含んでよい。
【００７３】
ｅＮＢは、ビームフォーミングされたＣＳＩ−ＲＳを伝送してよい（ブロック１４０９）。ｅＮＢは、ビームフォーミングされたＣＳＩ−ＲＳを、そのＵＥの少なくともいくつかに伝送してよい。説明例として、ｅＮＢは、異なるビームフォーミングされたＣＳＩ−ＲＳを個別に伝送し、ＵＥが、異なる受信ビームについてチャネルを測定することを許可する。ｅＮＢは、その利用可能な伝送ビームを周期的に反復し、規定された数の通信システムリソースについてビームフォーミングされたＣＳＩ−ＲＳを伝送してよい。ｅＮＢは、技術標準、通信システムのオペレータによって規定されるように、又はビームフォーミングされたＣＳＩ−ＲＳを伝送する必要性を条件が保証するように、ビームフォーミングされたＣＳＩ−ＲＳを周期的に伝送してよい。ｅＮＢは、ＵＥからＣＳＩ−ＲＳフィードバックを受信してよい（ブロック１４１１）。ＵＥから受信されたＣＳＩ−ＲＳフィードバックは、例えば、どのビームフォーミングされたＣＳＩ−ＲＳがＵＥに最良のチャネル品質をもたらすかを示してよい。
【００７４】
ｅＮＢは、ＵＥをビームフォーミング構成グループにグループ化してよい（ブロック１４１５）。ビームフォーミング構成グループは、ＵＥのために選択される伝送ビームを規定してよい。ビームフォーミング構成グループ化は、ＵＥから受信されたＣＳＩ−ＲＳフィードバックに従って、決定されてよい。ビームフォーミング構成グループ化は、ＵＥ能力報告において受信されたＵＥの能力に従って、決定されてもよい。説明例として、各ＵＥは、ＵＥから受信されたＣＳＩ−ＲＳフィードバック、及びＵＥのＵＥ能力報告に基づいて、複数のビームフォーミング構成グループの１つにグループ化されてよい。ＵＥのグループ化は、ＵＥに対するモビリティ推定に基づくものであってもよい。ビームフォーミング構成グループの例は、１）ｅＮＢに近接するＵＥ、２）移動性の高いＵＥ、３）ｅＮＢのサービスエリアのエッジ付近のＵＥ、４）ＩＣ可能なＵＥ、５）ＩＣ不可能なＵＥ、又はこれらの組み合わせを含んでよい。ＵＥのグループ化は、グループ化に関する情報、及びＵＥの各々に関するグループメンバシップを生成してよい。説明例として、各ＵＥは、複数のビームフォーミング構成グループの１つにグループ化されてよく、各ビームフォーミング構成グループに属するＵＥのリスト（グループメンバシップ情報の例）が、生成されてよい。
【００７５】
ｅＮＢは、ＵＥに対する変調及びコーディング方式（ＭＣＳ）を選択してよい（ブロック１４１７）。ＵＥに対するＭＣＳの選択は、様々な選択基準に従ってよく、これらは、ビームフォーミング構成グループ、ＵＥ能力、チャネル条件（ＣＳＩ−ＲＳフィードバックにおいて報告される）、当該ＵＥに対してデータのために最終的に割り当てられるビーム幅、ＵＥ要件、サービス品質（ＱｏＳ）要件、通信システム条件、通信システムトラフィック等を含んでよい。
【００７６】
ｅＮＢは、ＵＥを選択及びスケジューリングし、通信システムリソースを割り当ててよい（ブロック１４１９）。ｅＮＢは、スケジューリング基準に基づいて、ＵＥをスケジューリングしてよく、これは、ＵＥに伝送する又はＵＥから受信するデータの有無、ＵＥの優先度、データの優先度、ＵＥのサービス履歴、ＱｏＳ要件、ＵＥの位置、ＵＥのモビリティ、ＵＥのビームフォーミング構成グループ等を含んでよい。ｅＮＢは、ＭＬＢ−ＮＯＭＡを用いて、ＵＥをスケジューリング及び相互スケジューリングしてよい。説明例として、ｅＮＢは、ｅＮＢ付近のＵＥ又は移動性の高いＵＥに、広幅伝送ビームをスケジューリングしてよい。ｅＮＢは、同時に、ｅＮＢから離れたＵＥに、狭幅伝送ビームをスケジューリングしてもよい。広幅伝送ビームにスケジューリングされたＵＥは、狭幅伝送ビームに対するその近接度に応じて、ＩＣ能力を必要としてよく、又は、しなくてもよい。広幅伝送ビーム及び狭幅伝送ビームは、空間的に重複してよい。ｅＮＢは、スケジューリングされたＵＥに対して、通信システムリソースを割り当ててよい。通信システムリソースの割り当ては、利用可能なリソース、必要及び／又は要求されるリソース、リソースへの需要等のような要因に依存してよい。
【００７７】
ｅＮＢは、ＵＥに対する伝送パラメータを決定してよい（ブロック１４２１）。伝送パラメータは、ｅＮＢとの通信を成功裏に完了させるためにＵＥによって用いられる情報を含んでよい。説明例として、標準ＵＥ（ＩＣ可能であってよいが、ＩＣを実行しなくてよいＵＥ）に対して、伝送パラメータは、ＭＣＳ情報、ランク（通信におけるデータ層の数）、ＤＭＲＳリソース情報、プリコーディングマトリクスインジケータ（ＰＭＩ）等を含んでよい。他の説明例として、ＩＣを用いるＵＥに対して、伝送パラメータは、ＭＣＳ情報、ランク、ＤＭＲＳリソース情報、ＰＭＩ、相互スケジューリングされるＵＥに関するＤＭＲＳリソース情報をさらに含んでよい。
【００７８】
ｅＮＢは、伝送パラメータをＵＥにシグナリングしてよい（ブロック１４２３）。伝送パラメータは、（例えば、ＰＤＣＣＨを介して）各ＵＥに個別にシグナリングされてよい。あるいは、伝送パラメータは、全てのＵＥにブロードキャストされてよい。ｅＮＢは、次にひき続き、スケジューリングされるＵＥと通信を行ってよい（ブロック１４２５）。
【００７９】
図１５は、ＭＬＢ−ＮＯＭＡ通信に参加するＵＥにおいて行われる例示的な高レベルオペレーション１５００のフロー図を示す。オペレーション１５００は、ＭＬＢ−ＮＯＭＡ通信に参加するＵＥにおいて行われるオペレーションを示してよい。
【００８０】
オペレーション１５００は、ＵＥの初期化により開始してよい（ブロック１５０５）。初期化は、ＵＥが、そのサービスするｅＮＢと共にＲＡＣＨ手順に参加することを含んでよい。換言すると、ＵＥは、その通信の必要をｅＮＢに提供してよい。ＵＥは、ＵＥ能力報告をｅＮＢに送信してよい（ブロック１５０７）。ＵＥは、そのＩＣ能力について、ｅＮＢに通知してよい。ＵＥは、そのビームフォーミング能力について、ｅＮＢに通知してもよい。ＵＥ能力報告は、ＭＩＭＯ能力、処理能力等をさらに含んでよい。
【００８１】
ＵＥは、ビームフォーミングされたＣＳＩ−ＲＳを受信してよい（ブロック１５０９）。ＵＥは、それ自体が利用可能な受信ビームを、受信されたビームフォーミングされたＣＳＩ−ＲＳの各々に対して周期的に反復してよい。その受信ビームの各々に対して、ＵＥは、ビームフォーミングされたＣＳＩ−ＲＳに基づいて、チャネルを測定してよい。ＵＥは、ＣＳＩ−ＲＳフィードバックをｅＮＢに送信してよい（ブロック１５１１）。説明例として、ＵＥは、測定された最良のチャネルにより、規定された数の受信ビームとビームフォーミングされたＣＳＩ−ＲＳとの組み合わせについて、ＣＳＩ−ＲＳフィードバックを送信してよい。例えば、ＵＥは、Ｎ個の最良の受信ビームとビームフォーミングされたＣＳＩ−ＲＳとの組み合わせの報告を戻してよい。ここで、Ｎは、整数である。Ｎの例示的な値は、１、２、３、４、５、６、７、８、９、１０等であってよい。Ｎの値に対する制限は、ビームフォーミングされたＣＳＩ−ＲＳを受信するＵＥの受信機能力、又はフィードバックチャネルに対する制限を含んでよい。あるいは、ＵＥは、各受信ビーム、ビームフォーミングされたＣＳＩ−ＲＳの組み合わせに対するＣＳＩ−ＲＳフィードバックを送信してよい。
【００８２】
ＵＥは、ｅＮＢから伝送パラメータを受信してよい（ブロック１５１５）。伝送パラメータは、ｅＮＢからデータを成功裏に受信するためにＵＥによって用いられる情報を含んでよい。説明例として、標準ＵＥ（ＩＣ可能であってよいが、ＩＣを実行しなくてよいＵＥ）に対して、伝送パラメータは、当該ＵＥに割り当てられるデータに関する、ＭＣＳ情報、ランク（通信におけるデータ層の数）、ＤＭＲＳリソース情報、プリコーディングマトリクスインジケータ（ＰＭＩ）等を含んでよい。他の説明例として、ＩＣを用いるＵＥに対して、伝送パラメータは、ＭＣＳ情報、ランク、ＤＭＲＳリソース情報、当該ＵＥに割り当てられるデータに対するＰＭＩ、さらに、相互スケジューリングされるＵＥに関するＤＭＲＳリソース情報、相互スケジューリングされるＵＥに関するＭＣＳ情報等を含んでよい。説明例として、ＵＥは、相互スケジューリングされるＵＥに関するＤＭＲＳリソース情報を用いて、受信電力の測定値を生成してよく、受信電力の測定値を用いて、そのＩＣ受信機を構成してよい。ＵＥは、伝送パラメータに従って、ｅＮＢと通信を行ってよい（ブロック１５１７）。
【００８３】
例示的実施形態によれば、ＵＥは、そのモビリティの推定（又は時間の関数としてのチャネル変動の推定）をｅＮＢに提供してよい。モビリティ推定の詳細な説明は、後述される。他の例示的実施形態によれば、ＵＥは、複数の近隣のＣＳＩ−ＲＳビームに関するＣＱＩ（又はＲＳＲＰ）をフィードバックしてよく、これは、ＵＥのモビリティ推定を決定するにあたり、ｅＮＢを補助し得る。ＵＥのモビリティを推定するために近隣のＣＳＩ−ＲＳビームに関するフィードバックを用いることの詳細な説明は、後述される。さらに他の例示的実施形態によれば、ＵＥは、他の相互スケジューリングされるＵＥの伝送パラメータを提供されてよい。ＵＥは、相互スケジューリングされるＵＥの干渉測定値をｅＮＢに提供してよい。
【００８４】
図１６ａ及び１６ｂは、ＭＬＢ−ＮＯＭＡ通信中に行われる例示的オペレーション１６００のフロー図を示す。オペレーション１６００は、ＭＬＢ−ＮＯＭＡ通信に参加するｅＮＢ及びＵＥにおいて行われるオペレーションを示してよい。
【００８５】
オペレーション１６００は、ｅＮＢがＵＥと共に初期接続セットアップを実行することにより開始してよい（ブロック１６０５）。初期接続セットアップは、ｅＮＢとＵＥとの間の接続確立（例えば、ＲＡＣＨ処理による）、ＵＥ能力交換等を含んでよい。ｅＮＢは、ＵＥからＵＥ能力報告を受信してよい（ブロック１６０７）。ｅＮＢに接続されたＵＥは、各々、ＵＥ能力報告をｅＮＢに送信してよい。ＵＥ能力報告は、ＵＥのＩＣ能力、ＵＥのビームフォーミング能力（チャネルサウンディングにおいて用いられるビームフォーミングされたＣＳＩ−ＲＳに必要とされ得る）等を含んでよい（ブロック１６０９）。説明例として、ＵＥのＩＣ能力は、４つのクラスの１つに分類されてよく、２ビットのインジケータによって表されてよい。これは、ＵＥ能力報告の伝送におけるシグナリングオーバーヘッドの減少に役立ち得る。４つのクラス及びその関連付けられたインジケータ値の例は、００＝ＩＣ能力なし、０１＝単純ＩＣ（例えば、ＳＩＣのみ）、１０＝高度ＩＣ、及び１１＝超高度ＩＣであってよい。ｅＮＢに接続された各ＵＥは、そのＵＥ能力報告をｅＮＢに送信してよい。
【００８６】
ｅＮＢは、ＣＳＩのチャネルサウンディング処理を開始してよい（ブロック１６１１）。チャネルサウンディングは、ビームフォーミングされたＣＳＩ−ＲＳの伝送を含んでよい。ｅＮＢは、規則的なＣＳＩ−ＲＳタイミング情報を用いてよい（ブロック１６１３）。説明例として、ｅＮＢは、異なる方向の狭幅伝送ビームを用いて、ビームフォーミングされたＣＳＩ−ＲＳを伝送してよい（ブロック１６１５）。ｅＮＢは、ビームフォーミングされたＣＳＩ−ＲＳを、全てのＵＥに伝送してよい。ビームフォーミングされたＣＳＩ−ＲＳの伝送は、複数の段階（例えば、広いビームから狭いビームへ）で行われてよく、又は、単一の段階で行われてよい。ｅＮＢによってサービスされるＵＥは、ｅＮＢによって異なる方向に伝送されたビームフォーミングされたＣＳＩ−ＲＳを受信してよい（ブロック１６１７）。ビームフォーミングされたＣＳＩ−ＲＳの方向性に加えて、ＵＥは、ビームフォーミングされたＣＳＩ−ＲＳを受信する場合に利用可能な異なる受信ビームをさらに有してよい。ＵＥが異なる受信ビームを有する場合、複数の異なるビームフォーミングされたＣＳＩ−ＲＳ、受信ビームの組み合わせが存在してよい。
【００８７】
ｅＮＢは、ＵＥからＣＳＩ−ＲＳフィードバックを受信してよい（ブロック１６１９）。ＣＳＩ−ＲＳフィードバックは、最高のスペクトル効率をもたらすＣＳＩ−ＲＳ方向の伝送ビーム指標（複数の指標）又はプリコーディングマトリクス指標（複数の指標）（ＰＭＩ）、チャネル品質インジケータ（ＣＱＩ）、ランクインジケータ（ＲＩ）、参照信号受信電力（ＲＳＲＰ）等を含んでよい（ブロック１６２１）。ＣＳＩ−ＲＳフィードバックは、各ＵＥからｅＮＢにおいて受信されてよい。ＣＳＩ−ＲＳフィードバックは、ＵＥに対するモビリティ推定をさらに含んでよい。モビリティ推定は、ＵＥが移動していることを必ずしも意味しなくてよいが、これは、ｅＮＢとＵＥとの間のチャネルが変化するレート、又はｅＮＢによって当該ＵＥに割り当てられた最適なビームが変化し得るレートを指す。これは、ＵＥの移動、及びｅＮＢとＵＥとの間に存在する他のブロック及び／又は反射物に起因してよい。例示的なモビリティ推定技術の詳細な説明は、後述される。
【００８８】
ｅＮＢは、各ＵＥに対してコードブック又は非コードブックベースの伝送のいずれを用いるか決定するためのチェックを実行してよい（ブロック１６２３）。コードブックベースの伝送は、伝送ビームの数を、ビームの既知の有限なセットに制限してよく、非コードブックベースの伝送は、任意のビーム形状を用いてよい。本明細書において示される説明は、ｅＮＢによってなされる伝送（すなわち、ダウンリンク通信）を中心とするものであるが、本明細書において示される例示的実施形態は、ＵＥによってなされる伝送（すなわち、アップリンク通信）にも適用可能であることに留意されたい。従って、ダウンリンク伝送を中心とすることが、例示的実施形態の範囲又は趣旨のいずれかを限定するものと解されるべきではない。
【００８９】
コードブックベースの伝送が用いられる場合、ｅＮＢは、どの伝送ビーム幅及び／又はレベルを各ＵＥに割り当てるかを決定してよい（ブロック１６２５）。伝送ビーム幅及び／又はレベルの割り当ては、ＵＥから受信される、ＣＱＩ及びＵＥモビリティ推定を含むＣＳＩ−ＲＳフィードバックに従ってよい。非コードブックベースの伝送が用いられる場合、ｅＮＢは、いくつの位相シフタ及び／又はアンテナを各ＵＥに割り当てるかを決定してよい（ブロック１６２７）。位相シフタ及び／又はアンテナは、異なる伝送ビームに関連付けられてよい。位相シフタ及び／又はアンテナの割り当ては、ＵＥから受信される、ＣＱＩ及びＵＥモビリティ推定を含むＣＳＩ−ＲＳフィードバックに従ってよい。換言すると、ｅＮＢは、ＵＥを複数の伝送パラメータの１つにグループ化する。ブロック１６２５及び１６２７は、ＵＥをビームフォーミング構成グループにグループ化する実装であってよい。オペレーション１６００は、図１６ｂに続く。
【００９０】
ｅＮＢは、各ＵＥに対するＭＣＳを調整してよい（ブロック１６２９）。各ＵＥに対するＭＣＳの調整は、ＣＳＩ−ＲＳフィードバック及び割り当てられた伝送ビームに従ってよい。ＣＳＩ−ＲＳフィードバックはビームフォーミングされたＣＳＩ−ＲＳに基づくので、ｅＮＢは、割り当てられた伝送ビームに応じて、ＭＣＳの調整を必要としてよい。
【００９１】
ｅＮＢは、ＵＥをスケジューリングしてよい（ブロック１６３１）。ｅＮＢは、通信システムリソースを割り当ててもよい。ｅＮＢは、スケジューリング基準に基づいて、ＵＥをスケジューリングしてよい。これは、限定されるものではないが、ＵＥに対するデータの存在、ＵＥのバッファステータス、ＵＥの優先度、ＵＥのサービス履歴、ＵＥのＱｏＳ要件、通信システム条件及び／又はトラフィック負荷、ＵＥの位置、ＵＥのモビリティ、ＵＥの数等を含む。ｅＮＢは、相互スケジューリング条件が満される場合には、より高レベルのＵＥ（遠くのＵＥ）をより低レベルのＵＥ（付近のＵＥ又は高いモビリティのＵＥ）と相互スケジューリングしてよい。より低レベルのＵＥをより高レベルのＵＥと相互スケジューリングするための条件の例は、ａ）動作中のより低レベルのＵＥがより高レベルのＵＥの高干渉領域にあり、かつ、より低レベルのＵＥがＳＩＣ可能であること、ｂ）あらゆるより低レベルのＵＥがより高レベルのＵＥの低干渉領域にあること、及びｃ）より低レベルのＵＥがより高レベルのＵＥの中間干渉領域にあり、かつ、より低レベルのＵＥが高度ＩＣ可能であること、を含んでよい。
【００９２】
ｅＮＢは、干渉除去を実行しない標準ＵＥに対する伝送パラメータを、決定及び送信してよい（ブロック１６３３）。ｅＮＢは、ＭＣＳレベル、ランク（ＲＩ）、割り当てられたＤＭＲＳ（ならびに、要求と異なる場合には、ＰＭＩ及び／又はビーム指標（複数の指標））等に関するパラメータを選択及び伝送してよい。ＤＭＲＳ割り当てパラメータの伝送は、例えば、物理ダウンリンク制御チャネル（ＰＤＣＣＨ）におけるフォーマット２Ｃのような、ＤＣＩフォーマットで規定されるように行われてよい。３ＧＰＰ  ＬＴＥ−Ａから、ダウンリンクＤＭＲＳベースの伝送に関する伝送パラメータは、ＰＤＣＣＨにおいて伝送されるＤＣＩフォーマット２Ｃを用いてよい（３ＧＰＰ技術標準ＴＳ１３６．２１２  Ｖ１１．５．０のセクション５．３．３．１．５Ｃ参照。これは、参照により本明細書に組み込まれる）。ＤＣＩフォーマット２Ｃを用いて、多数のＵＥ固有の項目、例えば、ｉ）各トランスポートブロック（ＴＢ）に対するＭＣＳ（５ビット）、及びｉｉ）ＤＭＲＳアンテナポート（直交コード、スクランブルコード、及び層数を示す（３ビット））が、ｅＮＢからＵＥに伝送されてよい。標準ＵＥは、ＩＣ可能ではないＵＥ、又はＩＣを必要としない状況にあるＵＥであってよい。標準ＵＥは、受信のために、これらの受信機をセットアップしてよい（ブロック１６３５）。
【００９３】
ｅＮＢは、ＩＣ除去ＵＥに対する伝送パラメータを決定及び送信してよい（ブロック１６３７）。ｅＮＢは、ＭＣＳレベル、ＲＩ、割り当てられたＤＭＲＳ（ならびに、要求と異なる場合には、ＰＭＩ及び／又はビーム指標（複数の指標））等を選択してよい。ｅＮＢは、相互スケジューリングされるＵＥのＤＭＲＳ、ＲＩ、及びＭＣＳを送信してもよい。ＤＭＲＳの伝送は、ＰＤＣＣＨにおける新たなＤＣＩフォーマットに基づいて行われてよい。利用される新たなＤＣＩフォーマットで伝送するための正確な情報は、ＩＣ除去ＵＥのＩＣ能力又はＩＣクラスに基づいてよい。説明例として、ＩＣ能力を有するＵＥをサポートするための既存のＤＣＩフォーマット２Ｃの変更は、以下の通りである。ＵＥ能力＝０１（ＳＩＣのみ）の場合、さらにシグナリングされる項目は、相互スケジューリングされるＵＥのＤＭＲＳアンテナポート（相互スケジューリングされるＵＥあたり３ビット）である。ＵＥ能力＝１０（高度）の場合、さらにシグナリングされる項目は、相互スケジューリングされるＵＥのＤＭＲＳアンテナポート（相互スケジューリングされるＵＥあたり３ビット）及び相互スケジューリングされるＵＥの変調レベル（２ビットがＴＢ、ＵＥあたり最大４ビット）を含む。ＵＥ能力＝１１（超高度）の場合、さらにシグナリングされる項目は、相互スケジューリングされるＵＥのＤＭＲＳアンテナポート（相互スケジューリングされるＵＥあたり３ビット）及び相互スケジューリングされるＵＥのＭＣＳレベル（５ビットがＴＢ、ＵＥあたり最大１０ビット）を含む。ＩＣ除去ＵＥは、受信のために、これらのＩＣ受信機をセットアップしてよい（ブロック１６３９）。
【００９４】
ｅＮＢは、スケジューリングされるＵＥにデータを送信してよい（ブロック１６４１）。データの送信は、割り当てられた通信システムリソース及び伝送パラメータに従ってよい。データは、物理ダウンリンク共有チャネル（ＰＤＳＣＨ）において送信されてよい。スケジューリングされるＵＥは、データ受信（及びこのようにスケジューリングされたものに対するＩＣ）を実行してよい（ブロック１６４３）。データの送信及びデータの受信は、ｅＮＢ及びＵＥが互いに通信を行う例であってよい。
【００９５】
例示的実施形態は、ＤＭＲＳベースの伝送を用い、当該相互スケジューリングされるＵＥの各々は、同じＲＢ内の異なるＤＭＲＳリソースを用いるので、相互スケジューリングされるＵＥに対してＩＣ受信機をセットアップするためのあらゆる追加の伝送電力又はビームフォーミングパラメータ情報（すなわち、明示的な伝送電力）のシグナリングは、必要とされない。ＩＣ受信機は、相互スケジューリングされたユーザから受信されたＤＭＲＳの受信電力に基づいて、構成されてよい。
【００９６】
通信システムが３ＧＰＰ  ＬＴＥ準拠の通信システムではなく、当該いくつかの他の無線インタフェースが用いられる場合、（総称的に）ＩＣ可能なＵＥに対する追加のシグナリングは、以下の通りに要約されてよい。ＵＥ能力＝０１（ＳＩＣのみ）の場合、さらにシグナリングされる項目は、相互スケジューリングされるＵＥのＤＭＲＳ（又はプリコーディングされたチャネル推定パイロット）リソースである。ＵＥ能力＝１０（高度）の場合、さらにシグナリングされる項目は、相互スケジューリングされるＵＥのＤＭＲＳ（又はプリコーディングされたチャネル推定パイロット）リソース及び相互スケジューリングされるＵＥの変調レベルを含む。ＵＥ能力＝１１（超高度）の場合、さらにシグナリングされる項目は、相互スケジューリングされるＵＥのＤＭＲＳ（又はプリコーディングされたチャネル推定パイロット）リソース及び相互スケジューリングされるＵＥのＭＣＳレベルを含む。
【００９７】
モビリティ推定は、様々な技術を用いて実行されてよい。例示的実施形態によれば、ＵＥは、（例えば、ＣＳＩ−ＲＳ構成を用いて、）経時的なダウンリンクチャネルの変動の推定であるチャネルモビリティの推定をフィードバックするように構成される。ＵＥは、データに対して現在割り当てられている伝送ビームから受信されたダウンリンクチャネル推定から（例えば、ＤＭＲＳを用いて）チャネル変動を用いてよいので、ｅＮＢは、報告されたチャネル変動推定に従って、伝送ビーム（例えば、伝送ビームのビーム幅）を調整してよい。
【００９８】
他の例示的実施形態によれば、ＵＥは、最良のＣＳＩ−ＲＳビームに関するＣＱＩ（又はＲＳＲＰ）をフィードバックするように構成される。ｅＮＢは、フィードバックＣＱＩ（又はＲＳＲＰ）の異なる報告例の間の結果を比較し、モビリティを推定してよい。フィードバック（フィードバックＣＱＩ又はＲＳＲＰ）は、既に報告されているので、例示的実施形態は、低オーバーヘッドをもたらす。さらに、例示的実施形態は、高変動環境において、良好に実行する。
【００９９】
さらに他の例示的実施形態によれば、ＵＥは、複数の（例えば、２又は３又はそれより多くの）近隣のＣＳＩ−ＲＳビームに関するＣＱＩ（又はＲＳＲＰ）をフィードバックするように構成される。ｅＮＢは、複数のＣＳＩ−ＲＳビームに関するフィードバック報告の各報告例を受信し、複数の報告例の結果を比較してよい。図１７は、複数の近隣のＣＳＩ−ＲＳビームの複数のフィードバック報告からのモビリティ推定を示す図１７００を示す。第１のサブ図１７０５は、ＣＳＩ−ＲＳビームＡ１７０７及びＣＳＩ−ＲＳビームＢ１７０９、ならびにＵＥが位置Ａ１７１１から、２つのＣＳＩ−ＲＳビームに対して位置Ｂ１７１３及び位置Ｃ１７１５へと移動する際の位置を示す。ＵＥは、ＣＳＩ−ＲＳビームＡ１７０７及びＣＳＩ−ＲＳビームＢ１７０９の測定値を生成し、３つの位置の各１つにおいて、測定値の報告をｅＮＢに戻す。第２のサブ図１７２０は、ｅＮＢによって受信された、ＣＳＩ−ＲＳビームＡ１７０７及びＣＳＩ−ＲＳビームＢ１７０９の報告されたＲＳＲＰを示す。第１の線（実線）１７３５は、サブ図１７０５に示されるようにＵＥが位置Ｂにある場合の、時間の第１のインスタンスにおける２つのＣＳＩ−ＲＳビームのＲＳＲＰ測定値を表してよい。第２の線（破線）１７３７は、ＵＥがｅＮＢに向けて近づくように移動する、時間の第２のインスタンスにおける２つのＣＳＩ−ＲＳビームのＲＳＲＰ測定値を表してよい。第３の線（破線）１７３９は、ＵＥがｅＮＢから遠ざかるように移動する、時間の第２のインスタンスにおける２つのＣＳＩ−ＲＳビームのＲＳＲＰ測定値を表してよい。第４の線（点線）１７４１は、ＵＥが位置Ｂから位置Ｃに、ｅＮＢの周囲を（径方向距離を一定に維持しつつ）移動する、時間の第２のインスタンスにおける２つのＣＳＩ−ＲＳビームのＲＳＲＰ測定値を表してよい。
【０１００】
さらに他の例示的実施形態によれば、モビリティ推定は、上述された例示的実施形態のいずれかの組み合わせを用いて実行される。
【０１０１】
図１８は、ＭＬＢ−ＮＯＭＡ通信中に行われる代替的な例示的オペレーション１８００のフロー図を示す。オペレーション１８００は、ＭＬＢ−ＮＯＭＡ通信に参加するｅＮＢ及びＵＥにおいて行われるオペレーションを示してよく、図１６ｂに示されるオペレーション１６２９−１６４３の代替であってよい。
【０１０２】
オペレーション１８００は、ｅＮＢが各ＵＥに対するＭＣＳを調整することにより開始してよい（ブロック１８０５）。各ＵＥに対するＭＣＳの調整は、ＣＳＩ−ＲＳフィードバック及び割り当てられた伝送ビームに従ってよい。ＣＳＩ−ＲＳフィードバックはビームフォーミングされたＣＳＩ−ＲＳに基づくので、ｅＮＢは、割り当てられた伝送ビームに応じて、ＭＣＳの調整を必要としてよい。
【０１０３】
ｅＮＢは、ＵＥをスケジューリングしてよい（ブロック１８０７）。ｅＮＢは、通信システムリソースを割り当ててもよい。ｅＮＢは、スケジューリング基準に基づいて、ＵＥをスケジューリングしてよい。これは、限定されるものではないが、ＵＥに対するデータの存在、ＵＥのバッファステータス、ＵＥの優先度、ＵＥのサービス履歴、ＵＥのＱｏＳ要件、通信システム条件及び／又はトラフィック負荷、ＵＥの位置、ＵＥのモビリティ、ＵＥの数等を含む。ｅＮＢは、相互スケジューリング条件が満される場合には、より高レベルのＵＥ（遠くのＵＥ）をより低レベルのＵＥ（付近のＵＥ又は高いモビリティのＵＥ）と相互スケジューリングしてよい。より低レベルのＵＥをより高レベルのＵＥと相互スケジューリングするための条件の例は、ａ）動作中のより低レベルのＵＥがより高レベルのＵＥの高干渉領域にあり、かつ、より低レベルのＵＥがＳＩＣ可能であること、ｂ）あらゆるより低レベルのＵＥがより高レベルのＵＥの低干渉領域にあること、及びｃ）ＵＥがより高レベルのＵＥの中間干渉領域にあり、かつ、より低レベルのＵＥが高度ＩＣ可能であること、を含んでよい。より高レベルのＵＥに対する相互スケジューリング条件の例は、任意のＵＥが、ｅＮＢのサービスエリアのエッジにある、又はその近くにあることであってよい。
【０１０４】
ｅＮＢは、相互スケジューリングされないＵＥに対する伝送パラメータを決定及び送信してよい（ブロック１８０９）。ｅＮＢは、ＭＣＳレベル、ランク（ＲＩ）、割り当てられたＤＭＲＳリソース（ならびに、要求と異なる場合には、ＰＭＩ及び／又はビーム指標（複数の指標））等を選択してよい。ＤＭＲＳの伝送は、例えば、物理ダウンリンク制御チャネル（ＰＤＣＣＨ）におけるフォーマット２Ｃのような、ＤＣＩフォーマットで規定されるように行われてよい。相互スケジューリングされないＵＥは、ＩＣを必要としない。相互スケジューリングされないＵＥは、受信のために、これらの受信機をセットアップしてよい（ブロック１８１１）。
【０１０５】
ｅＮＢは、相互スケジューリングされるＵＥに対する伝送パラメータを決定及び送信してよい（ブロック１８１３）。ｅＮＢは、ＭＣＳレベル、ＲＩ、割り当てられたＤＭＲＳ（ならびに、要求と異なる場合には、ＰＭＩ及び／又はビーム指標（複数の指標））等を選択し、各ＵＥに伝送してよい。ｅＮＢは、他の相互スケジューリングされるＵＥのＤＭＲＳ、ＲＩ、及びＭＣＳパラメータを、このグループにおける各ＵＥに送信してもよい。これらのパラメータ（ＤＭＲＳ、ＲＩ、ＭＣＳ等）の伝送は、ＰＤＣＣＨにおける新たなＤＣＩフォーマットに基づいて行われてよい。相互スケジューリングされるＵＥがＩＣ能力を有する場合、これらのＵＥは、受信のためのＩＣ受信機をセットアップするために、相互スケジューリングされるＵＥの伝送パラメータを用いる（ブロック１８１５）。全ての相互スケジューリングされるＵＥは、（これらがＩＣを実行しない場合であっても）他の相互スケジューリングされるユーザのパラメータを受信するので、これらのユーザの全ては、他の相互スケジューリングされるユーザの干渉測定を実行することができる。このような干渉測定値は、次のＣＱＩフィードバックの機会にｅＮＢにフィードバックされることが可能であり、非コードブック伝送が用いられる場合に、ユーザの相互スケジューリングを最適化するメカニズムを実現することができる。ここで、標準的には、相互スケジューリングの干渉レベルの推定のみが、事前に認識可能である。
【０１０６】
ｅＮＢは、スケジューリングされるＵＥにデータを送信してよい（ブロック１８１７）。データの送信は、割り当てられた通信システムリソース及び伝送パラメータに従ってよい。データは、物理ダウンリンク共有チャネル（ＰＤＳＣＨ）において送信されてよい。スケジューリングされるＵＥは、データ受信（及びこのようにスケジューリングされたものに対するＩＣ）を実行してよい（ブロック１８１９）。データの送信及びデータの受信は、ｅＮＢ及びＵＥが互いに通信を行う例であってよい。
【０１０７】
図１９は、本明細書において開示されるデバイス及び方法を実装するために利用可能な処理システム１９００のブロック図である。具体的なデバイスは、示されるコンポーネントの全て、又はコンポーネントのサブセットのみを用いてよく、統合レベルは、デバイスによって異なってよい。さらに、デバイスは、複数の処理ユニット、プロセッサ、メモリ、送信機、受信機等のような、コンポーネントの複数の例を含んでよい。処理システムは、ヒューマンインタフェース１９１５（スピーカ、マイク、マウス、タッチスクリーン、キーパッド、キーボード、プリンタ等を含む）、ディスプレイ１９１０等のような、１つ又は複数の入力／出力デバイスを備える処理ユニット１９０５を含んでよい。処理ユニットは、バス１９４５に接続された中央処理装置（ＣＰＵ）１９２０、メモリ１９２５、大容量ストレージデバイス１９３０、ビデオアダプタ１９３５、及びＩ／Ｏインタフェース１９４０を含んでよい。
【０１０８】
バスは、メモリバス又はメモリコントローラ、周辺バス、ビデオバス等を含む任意のタイプのいくつかのバスアーキテクチャの１つ又は複数であってよい。ＣＰＵは、任意のタイプの電子データプロセッサを含んでよい。メモリは、スタティックランダムアクセスメモリ（ＳＲＡＭ）、ダイナミックランダムアクセスメモリ（ＤＲＡＭ）、シンクロナスＤＲＡＭ（ＳＤＲＡＭ）、リードオンリメモリ（ＲＯＭ）、これらの組み合わせ等のような、任意のタイプのシステムメモリを含んでよい。実施形態において、メモリは、ブートアップに用いるためのＲＯＭ、ならびにプログラム実行中に用いるために、プログラム及びデータを格納するためのＤＲＡＭを含んでよい。
【０１０９】
大容量ストレージデバイスは、データ、プログラム、及び他の情報を格納し、データ、プログラム、及び他の情報を、バスを介してアクセス可能にするように構成される任意のタイプのストレージデバイスを含んでよい。大容量ストレージデバイスは、例えば、ソリッドステートドライブ、ハードディスクドライブ、磁気ディスクドライブ、光ディスクドライブ等の１つ又は複数を含んでよい。
【０１１０】
ビデオアダプタ及びＩ／Ｏインタフェースは、外部入出力デバイスを処理ユニットに連結するインタフェースを提供する。示されるように、入出力デバイスの例は、ビデオアダプタに連結されるディスプレイ、及びＩ／Ｏインタフェースに連結されるマウス／キーボード／プリンタを含む。他のデバイスは、処理ユニットに連結されてよく、追加の又はより少ないインタフェースカードが、利用されてよい。例えば、ユニバーサルシリアルバス（ＵＳＢ）（不図示）のようなシリアルインタフェースは、プリンタにインタフェースを提供するために用いられてよい。
【０１１１】
処理ユニットは、１つ又は複数のネットワークインタフェース１９５０をさらに含み、これは、ノード又は異なるネットワーク１９５５にアクセスするために、Ｅｔｈｅｒｎｅｔ（登録商標）ケーブル等のような有線リンク及び／又は無線リンクを含んでよい。ネットワークインタフェースは、処理ユニットが、ネットワークを介してリモートユニットと通信を行うことを可能にする。例えば、ネットワークインタフェースは、１つ又は複数の送信機／伝送アンテナ及び１つ又は複数の受信機／受信アンテナを介して、無線通信を提供してよい。実施形態において、処理ユニットは、データ処理、及び他の処理ユニット、インターネット、リモートストレージ設備等のようなリモートデバイスとの通信のために、ローカルエリアネットワーク又はワイドエリアネットワークに連結される。
【０１１２】
本開示及びその利点が詳細に説明されたが、様々な変更、置換及び変形が、添付される特許請求の範囲によって定義される本開示の範囲から逸脱することなく、本明細書においてなされ得ることを理解されたい。
［項目１］
通信コントローラを動作させるための方法であって、
上記通信コントローラによって、受信されたチャネル条件報告、ＵＥ干渉除去（ＩＣ）能力報告、及びモビリティ推定に従って、複数のユーザ機器（ＵＥ）をグループ化し、これにより、上記グループ化に関する情報を生成する段階と、
上記通信コントローラによって、上記複数のＵＥから第１のＵＥ、及び上記複数のＵＥから第２のＵＥを選択する段階であって、上記選択は、グループ化に関する上記情報に従い、広幅ビームが上記第１のＵＥに割り当てられ、狭幅ビームが上記第２のＵＥに割り当てられ、上記広幅ビーム及び上記狭幅ビームは、空間的に重複する、段階と、
上記通信コントローラによって、第１の伝送ブロックのリソースを、上記第１のＵＥ及び上記第２のＵＥに相互スケジューリングする段階と、
上記通信コントローラによって、上記相互スケジューリングされたリソースに従って、上記第１のＵＥに対する第１の伝送パラメータ及び上記第２のＵＥに対する第２の伝送パラメータを決定する段階と、
上記通信コントローラによって、上記第１のＵＥに対する上記第１の伝送パラメータ及び上記第２のＵＥに対する上記第２の伝送パラメータに従って、上記第１のＵＥ及び上記第２のＵＥと通信を行う段階と、
を備える方法。
［項目２］
上記複数のＵＥから第３のＵＥを選択する段階と、
第２の伝送ブロックのリソースを上記第３のＵＥにスケジューリングする段階と、
上記スケジューリングされたリソースに従って、上記第３のＵＥに対する第２の伝送パラメータを決定する段階と、
上記第２の伝送パラメータに従って、上記第３のＵＥと通信を行う段階と、
をさらに備える、項目１に記載の方法。
［項目３］
ビームフォーミングされた複数のチャネル状態情報参照信号（ＣＳＩ−ＲＳ）の測定値から生成された上記チャネル条件報告を受信する段階
をさらに備える、項目１に記載の方法。
［項目４］
複数の伝送ビームの各々によりＣＳＩ−ＲＳをビームフォーミングし、これにより、複数のビームフォーミングされたＣＳＩ−ＲＳを生成する段階と、
上記複数のビームフォーミングされたＣＳＩ−ＲＳを伝送する段階と、
上記チャネル条件報告を受信する段階と、
をさらに備える、項目１に記載の方法。
［項目５］
隣接する少なくとも２つのビームフォーミングされたＣＳＩ−ＲＳに関連付けられたフィードバック情報を受信する段階と、
上記少なくとも２つのビームフォーミングされたＣＳＩ−ＲＳに従って、上記第１のＵＥに対するモビリティ推定を生成する段階と、
上記モビリティ推定に従って、上記複数のＵＥを再グループ化する段階と、
をさらに備える、項目４に記載の方法。
［項目６］
少なくとも２つのビームフォーミングされたＣＳＩ−ＲＳに関連付けられたフィードバック情報を受信する段階であって、上記少なくとも２つのビームフォーミングされたＣＳＩ−ＲＳは、異なる伝送時間間隔の１つ及び異なる周波数において受信される、段階と、
上記少なくとも２つのビームフォーミングされたＣＳＩ−ＲＳに従って、上記第１のＵＥに対するモビリティ推定を生成する段階と、
上記モビリティ推定に従って、上記複数のＵＥを再グループ化する段階と、
をさらに備える、項目４に記載の方法。
［項目７］
ビームフォーミングされたＣＳＩ−ＲＳに関連付けられたフィードバック情報を受信する段階と、
上記ビームフォーミングされたＣＳＩ−ＲＳに従って、上記第１のＵＥに対するモビリティ推定を生成する段階と、
上記モビリティ推定に従って、上記複数のＵＥを再グループ化する段階と、
をさらに備える、項目４に記載の方法。
［項目８］
上記複数のＵＥから上記ＵＥのＩＣ能力報告を受信する段階
をさらに備える、項目１に記載の方法。
［項目９］
上記第１のＵＥ及び上記第２のＵＥと通信を行う段階は、
上記第１のＵＥに対する上記第１の伝送パラメータに従って、上記第１のＵＥに対する第１のデータをビームフォーミングし、これにより、第１のビームフォーミングされた信号を生成する段階と、
上記第２のＵＥに対する上記第２の伝送パラメータに従って、上記第２のＵＥに対する第２のデータをビームフォーミングし、これにより、第２のビームフォーミングされた信号を生成する段階と、
上記第１のビームフォーミングされた信号及び上記第２のビームフォーミングされた信号を伝送する段階と、
を含む、項目１に記載の方法。
［項目１０］
上記第１のＵＥ及び上記第２のＵＥと通信を行う段階は、
上記第１のビームフォーミングされた信号に第１の復調参照信号（ＤＭＲＳ）を含める段階と、
上記第２のビームフォーミングされた信号に第２のＤＭＲＳを含める段階と、
をさらに含む、項目９に記載の方法。
［項目１１］
上記第１のＵＥ及び上記第２のＵＥと通信を行う段階は、
上記第１のデータをビームフォーミングする前に、上記第１のデータをプリコーディングする段階と、
上記第２のデータをビームフォーミングする前に、上記第２のデータをプリコーディングする段階と、
をさらに含む、項目９に記載の方法。
［項目１２］
上記第１の伝送パラメータは、上記第１のＵＥに割り当てられるＤＭＲＳを含む、項目１に記載の方法。
［項目１３］
上記第１の伝送パラメータは、上記第１のＵＥに対する変調及びコーディング方式（ＭＣＳ）レベル、ならびに上記第１のＵＥに対するランクインジケータ（ＲＩ）の少なくとも１つをさらに含む、項目１２に記載の方法。
［項目１４］
上記第１の伝送パラメータは、上記第２のＵＥに割り当てられるＤＭＲＳをさらに含む、項目１２に記載の方法。
［項目１５］
上記第１の伝送パラメータは、上記第２のＵＥに対する変調レベル、上記第２のＵＥに対するＭＣＳレベル、及び上記第２のＵＥに対するＲＩの１つをさらに含む、項目１４に記載の方法。
［項目１６］
上記複数のＵＥからモビリティ推定を受信する段階と、
上記モビリティ推定に従って、上記複数のＵＥを再グループ化する段階と、
をさらに備える、項目１に記載の方法。
［項目１７］
通信デバイスを動作させるための方法であって、
上記通信デバイスによって、ビームフォーミングされた複数のチャネル状態情報参照信号（ＣＳＩ−ＲＳ）を受信する段階と、
上記通信デバイスによって、複数の受信された上記ＣＳＩ−ＲＳに従って、チャネル条件報告を決定する段階と、
上記通信デバイスによって、通信コントローラに上記チャネル条件報告を送信する段階と、
上記通信デバイスによって、上記通信コントローラから伝送パラメータを受信する段階であって、上記伝送パラメータは、上記チャネル条件報告及びモビリティ推定に従って選択され、上記伝送パラメータは、上記通信デバイスに割り当てられる第１の復調参照信号（ＤＭＲＳ）リソース、及び相互スケジューリングされる通信デバイスに割り当てられる第２のＤＭＲＳリソースの位置を含む、段階と、
上記通信デバイスによって、上記第２のＤＭＲＳリソースの位置において、受信信号電力を測定する段階と、
上記通信デバイスによって、上記受信信号電力の測定値に従って、干渉除去受信機を構成する段階と、
を備える方法。
［項目１８］
モビリティ推定及びチャネル変動推定のうちの１つの推定を生成する段階と、
上記モビリティ推定及び上記チャネル変動推定のうちの上記１つを、通信コントローラに送信する段階と、
をさらに備える、項目１７に記載の方法。
［項目１９］
複数の近隣のビームフォーミングされたＣＳＩ−ＲＳ信号について、チャネルを測定する段階と、
上記測定されたチャネルに従って、上記複数の近隣のビームフォーミングされたＣＳＩ−ＲＳ信号に関するフィードバック情報を生成する段階と、
上記フィードバック情報を上記通信コントローラに送信する段階と、
をさらに備える、項目１７に記載の方法。
［項目２０］
上記伝送パラメータは、上記相互スケジューリングされる通信デバイスの変調レベル、変調及びコーディング方式（ＭＣＳ）レベル、ならびにランクインジケータ（ＲＩ）の少なくとも１つをさらに含む、項目１７に記載の方法。
［項目２１］
上記相互スケジューリングされる通信デバイスの干渉測定値を生成する段階と、
上記干渉測定値を上記通信コントローラに送信する段階と、
をさらに備える、項目１７に記載の方法。
［項目２２］
プロセッサと、
上記プロセッサによる実行のためのプログラミングを格納するコンピュータ可読記憶媒体と、
を備える通信コントローラであって、
上記プログラミングは、
受信されたチャネル条件報告、ＵＥ干渉除去（ＩＣ）能力報告及びモビリティ推定に従って、複数のユーザ機器（ＵＥ）をグループ化し、これにより、ＵＥのグループに関する情報を生成することと、
上記複数のＵＥから第１のＵＥ、及び上記複数のＵＥから第２のＵＥを選択することであって、上記第１のＵＥは、グループ化に関する上記情報に従って選択され、広幅ビームが上記第１のＵＥに割り当てられ、狭幅ビームが上記第２のＵＥに割り当てられ、上記広幅ビーム及び上記狭幅ビームは、空間的に重複する、選択することと、
上記第１のＵＥ及び上記第２のＵＥに、第１の伝送ブロックのリソースを相互スケジューリングすることと、
上記相互スケジューリングされたリソースに従って、上記第１のＵＥに対する第１の伝送パラメータ及び上記第２のＵＥに対する第２の伝送パラメータを決定することと、
上記第１のＵＥに対する上記第１の伝送パラメータ及び上記第２のＵＥに対する上記第２の伝送パラメータに従って、上記第１のＵＥ及び上記第２のＵＥと通信を行うことと、
を実行する命令を含む、通信コントローラ。
［項目２３］
上記プログラミングは、上記複数のＵＥからモビリティ推定を受信することと、上記モビリティ推定に従って、上記複数のＵＥを再グループ化することと、を実行する命令を含む、項目２２に記載の通信コントローラ。
［項目２４］
上記プログラミングは、複数の伝送ビームの各々により、チャネル状態情報参照信号（ＣＳＩ−ＲＳ）をビームフォーミングし、これにより、複数のビームフォーミングされたＣＳＩ−ＲＳを生成し、上記複数のビームフォーミングされたＣＳＩ−ＲＳを伝送することと、上記チャネル条件報告を受信することと、を実行する命令を含む、項目２２に記載の通信コントローラ。
［項目２５］
上記プログラミングは、少なくとも２つのビームフォーミングされたＣＳＩ−ＲＳに関連付けられたフィードバック情報を受信することと、上記少なくとも２つのビームフォーミングされたＣＳＩ−ＲＳに従って、上記第１のＵＥに対するモビリティ推定を生成することと、上記モビリティ推定に従って、上記複数のＵＥを再グループ化することと、を実行する命令を含む、項目２４に記載の通信コントローラ。
［項目２６］
上記プログラミングは、上記第１のＵＥに対する上記第１の伝送パラメータに従って、上記第１のＵＥに対する第１のデータをビームフォーミングし、これにより、第１のビームフォーミングされた信号を生成することと、上記第２のＵＥに対する上記第１の伝送パラメータに従って、上記第２のＵＥに対する第２のデータをビームフォーミングし、これにより、第２のビームフォーミングされた信号を生成することと、上記第１のビームフォーミングされた信号及び上記第２のビームフォーミングされた信号を伝送することと、を実行する命令を含む、項目２２に記載の通信コントローラ。
［項目２７］
上記プログラミングは、第１の復調参照信号（ＤＭＲＳ）をビームフォーミングされた上記第１のデータに含めることと、第２のＤＭＲＳをビームフォーミングされた上記第２のデータに含めることと、を実行する命令を含む、項目２６に記載の通信コントローラ。
［項目２８］
上記プログラミングは、上記第１のデータをビームフォーミングする前に、上記第１のデータをプリコーディングすることと、上記第２のデータをビームフォーミングする前に、上記第２のデータをプリコーディングすることと、を実行する命令を含む、項目２７に記載の通信コントローラ。
［項目２９］
上記通信コントローラは、発展型ＮｏｄｅＢ（ｅＮＢ）、基地局、及び伝送ポイントの１つである、項目２２に記載の通信コントローラ。
【図１】
0006577057.tif 000002
【図２】
0006577057.tif 000003
【図３ａ】
0006577057.tif 000004
【図３ｂ】
0006577057.tif 000005
【図３ｃ】
0006577057.tif 000006
【図４】
0006577057.tif 000007
【図５】
0006577057.tif 000008
【図６】
0006577057.tif 000009
【図７】
0006577057.tif 000010
【図８】
0006577057.tif 000011
【図９】
0006577057.tif 000012
【図１０】
0006577057.tif 000013
【図１１】
0006577057.tif 000014
【図１２】
0006577057.tif 000015
【図１３ａ】
0006577057.tif 000016
【図１３ｂ】
0006577057.tif 000017
【図１３ｃ】
0006577057.tif 000018
【図１４】
0006577057.tif 000019
【図１５】
0006577057.tif 000020
【図１６ａ】
0006577057.tif 000021
【図１６ｂ】
0006577057.tif 000022
【図１７】
0006577057.tif 000023
【図１８】
0006577057.tif 000024
【図１９】
0006577057.tif 000025